(57)【要約】  ４３０ｎｍ〜４８０ｎｍの領域内の波長を有する光を発光する第１グループの固体発光体と、６００ｎｍ〜６３０ｎｍの領域内の波長を有する光を発光する第２グループの固体発光体と、５５０ｎｍ〜５８５ｎｍの領域内の主要な波長を有する光を発光する第１グループのルミファーとを備える照明デバイスである。電力線に電流を供給すると、第１グループの発光体によって発光され、照明デバイスから射出された光（１）と第１グループのルミファーによって発光され、照明デバイスから射出された光（２）との混合光は、別の光がない場合に、座標（０.３２、０.４０）、（０.３６、０.４８）、（０.４３、０.４５）、（０.４２、０.４２）、（０.３６、０.３８）を有するポイントで定められる１９３１ＣＩＥ色度図上の領域内に、ｘ、ｙカラー座標を有するサブ混合光を発生する。照明方法も提供されている。
2010511978.tif 000002
【特許請求の範囲】
【請求項１】
少なくとも１つの固体発光体を含む、第１グループの固体発光体と、
少なくとも１つのルミファーを含む、第１グループのルミファーと、
少なくとも１つのソリッドステート発光体を含む、第２グループの固体発光体と、
少なくとも１つの第１電力線とを備え、前記第１グループの固体発光体の各々と前記第２グループの固体発光体の各々とは、前記第１電力線に電気的に接続されており、
前記第１グループの固体発光体の各々は、点灯された場合に４３０ｎｍ〜４８０ｎｍの領域内にピーク波長を有する光を発光し、
前記第１グループのルミファーの各々は、励起された場合に約５５０ｎｍ〜５８５ｎｍの領域内に主要波長を有する光を発光し、
前記第２グループの固体発光体の各々は、点灯された場合に６００ｎｍ〜６３０ｎｍの領域内に主要波長を有する光を発光し、
前記第１電力ラインに電流が供給された場合に、
前記第１グループの固体発光体によって発光され、前記照明デバイスから射出された光（１）と、前記第１グループのルミファーによって発光され、前記照明デバイスから射出された光（２）と、前記第２グループの固体発光体によって発光され、前記照明デバイスから射出された光（３）との混合光は、任意の別の光がない場合に、１９３１ＣＩＥ色度図上の黒体軌跡上の少なくとも１つのポイントの１０のマッカダム楕円内にあるポイントを定める１９３１ＣＩＥ色度図上にｘ、ｙ座標を有する混合光を発生し、
前記第１グループの固体発光体によって発光され、前記照明デバイスから射出された光（１）と、前記第１グループのルミファーによって発光され、前記照明デバイスから射出された光（２）との混合光は、任意の別の光がない場合に、第１線分、第２線分、第３線分、第４線分および第５線分によって囲まれた１９３１ＣＩＥ色度図上の領域内にあるポイントを定める、ｘ、ｙ色座標を有するサブ混合光を発生し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である、照明デバイス。
【請求項２】
前記第１グループの固体発光体は、複数の第１ＬＥＤを備え、前記第２グループの固体発光体は、複数の第２ＬＥＤを備える、請求項１に記載の照明デバイス。
【請求項３】
前記第１電力ラインに電気的に接続された少なくとも１つのスイッチを更に備え、前記スイッチは、前記第１電力ラインへの電流を選択的にオンオフするようにスイッチングする、請求項１に記載の照明デバイス。
【請求項４】
前記サブ混合光は、第１線分、第２線分、第３線分および第４線分によって囲まれた１９３１ＣＩＥ色度図上の領域内にあるポイントを定める、ｘ、ｙカラー座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４１、０.４５５であり、第４ポイントのｘ、ｙ座標は０.３６、０.３８である、請求項１記載の照明デバイス。
【請求項５】
前記第１グループの固体発光体は、少なくとも５つの発光ダイオードを備え、前記第２グループの固体発光体は、少なくとも５つのルミファーを備える、請求項１に記載の照明デバイス。
【請求項６】
前記第１グループの固体発光体の内の固体発光体のすべてを点灯した場合に、前記第１グループのルミファーのうちの少なくとも１つが前記第１グループの固体発光体から発光された光により励起される、請求項１記載の照明デバイス。
【請求項７】
前記第１グループの固体発光体の内の固体発光体のすべてを点灯した場合に、前記第１グループのルミファーのうちのすべてのルミファーが前記第１グループの固体発光体から発光された光により励起される、請求項１記載の照明デバイス。
【請求項８】
前記第１グループの前記固体発光体のうちの固体発光体のうちの少なくとも１つは、カプセル化要素内に埋め込まれており、前記カプセル化要素内には前記第１グループのルミファーのうちの少なくとも１つも埋め込まれている、請求項１に記載の照明デバイス。
【請求項９】
前記混合光は、少なくとも８０のＣＲＩ  Ｒａを有する、請求項１に記載の照明デバイス。
【請求項１０】
前記照明デバイスは、ワット当たり少なくとも２５ルーメンの効力を有する、請求項１に記載の照明デバイス。
【請求項１１】
密閉されたスペースおよび請求項１に記載の少なくとも１つの照明デバイスを含む密閉体であり、前記第１電力ラインに電流を供給した場合に、前記照明デバイスは、前記密閉されたスペースのうちの少なくとも一部を照明する密閉体。
【請求項１２】
ある表面と、請求項１に記載の少なくとも１つの照明デバイスとを含む構造体であり、前記第１電力ラインに電流を供給した場合に、前記照明デバイスは前記表面のうちの少なくとも一部を照明する構造体。
【請求項１３】
プール、部屋、倉庫、インジケータ、道路、車両、道路標識、ビルボード、船舶、航空機、スタジアム、ツリー、ウィンドーおよび街灯から成る群から選択され、請求項１に記載の少なくとも１つの照明デバイス内部またはその上部に取り付けられている少なくとも１つのアイテムを含む領域。
【請求項１４】
前記照明デバイスは、並列なＬＥＤ列の少なくとも１つの第１の組を備え、前記並列なＬＥＤの前記第１の組は、少なくとも１つのＬＥＤ列と、第２ＬＥＤ列とを備え、前記並列なＬＥＤ列の前記第１の組は、前記第１電力ラインに対して直列に配置されており、
第１の比は、第２の比と異なり、
前記第１の比は、前記第２グループの固体発光体の内および前記第１ＬＥＤ列内のＬＥＤの数（１）を、前記第１グループの固体発光体の内および前記第１ＬＥＤストリング内のＬＥＤの数（２）で割った値に等しく、
前記第２の比は、前記第２グループの固体発光体の内および前記第２ＬＥＤ列内のＬＥＤの数（３）を、前記第１グループの固体発光体の内および前記第２ＬＥＤ列内のＬＥＤの数（４）で割った値に等しい、請求項１に記載の照明デバイス。
【請求項１５】
前記第１および第２ＬＥＤ列のうちの１つに直接またはスイッチング可能に電気接続された少なくとも１つの電流調節器を更に備え、前記電流調節器は、調節された場合に、前記第１および第２ＬＥＤ列のうちの前記一方へ供給される電流を調節する、請求項１４に記載の照明デバイス。
【請求項１６】
１９３１ＣＩＥ色度図上の黒体軌跡上の少なくとも１つのポイントの１０のマッカダム楕円内に、前記混合光を維持するように、前記電流調節器を自動的に調節する、請求項１５に記載の照明デバイス。
【請求項１７】
前記第１グループの固体発光体の各々は、点灯された場合に４４０ｎｍ〜４８０ｎｍのレンジ内にピーク波長を有する光を発光し、
前記第１グループのルミファーの各々は、励起された場合に約５６０ｎｍ〜５８０ｎｍのレンジ内に主要波長を有する光を発光し、
前記第２グループの固体発光体の各々は、点灯された場合に６０５ｎｍ〜６３０ｎｍのレンジ内に主要波長を有する光を発光する、請求項１記載の照明デバイス。
【請求項１８】
少なくとも１つの固体発光体を含む、第１グループの固体発光体を点灯し、前記第１グループの固体発光体の各々が４３０ｎｍ〜４８０ｎｍのレンジ内にピーク波長を有する光を発光するようにするステップと、
少なくとも１つの固体発光体を含む、第２グループの固体発光体を点灯し、前記第２グループの固体発光体の各々が６００ｎｍ〜６３０ｎｍのレンジ内に主要波長を有する光を発光するようにするステップと、
少なくとも１つのルミファーを含む、第１グループのルミファーを励起し、前記第１グループのルミファーの各々が５５５ｎｍ〜５８５ｎｍのレンジ内に主要波長を有する光を発光するようにするステップとを備え、
前記第１グループの固体発光体によって発光され、前記照明デバイスから射出された光（１）と、前記第１グループのルミファーによって発光され、前記照明デバイスから射出された光（２）と、前記第２グループの固体発光体によって発光され、前記照明デバイスから射出された光（３）との混合光は、任意の別の光がない場合に、１９３１ＣＩＥ色度図上の黒体軌跡上の少なくとも１つのポイントの１０のマッカダム楕円内にあるポイントを定める１９３１ＣＩＥ色度図上にｘ、ｙ座標を有する光の混合を発生し、
前記第１グループの固体発光体によって発光され、前記照明デバイスから射出された光（１）と、前記第１グループのルミファーによって発光され、前記照明デバイスから射出された光（２）との混合光は、任意の別の光がない場合に、第１線分、第２線分、第３線分、第４線分および第５線分によって囲まれた１９３１ＣＩＥ色度図上の領域内にあるポイントを定める、ｘ、ｙカラー座標を有するサブ混合光を発生し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である、照明方法。
【請求項１９】
前記第１グループの固体発光体と前記第２グループの固体発光体とは、第１電力ラインに接続されており、
前記第１グループの固体発光体と前記第２グループの固体発光体とは、前記第１電力ラインに電流を供給することにより点灯される、請求項１８記載の方法。
【請求項２０】
前記第１グループのルミファーは、前記第１グループの固体発光体によって発光された光によって励起される、請求項１９記載の方法。
【請求項２１】
ハウジングと、
１９３１ＣＩＥ色度図上の黒体軌跡上の少なくとも１つのポイントの１０のマッカダム楕円内にあるポイントを定める、１９３１ＣＩＥ色度図上のｘ、ｙ座標を有する光を発生するための手段とを備える照明デバイス。
【発明の詳細な説明】
【技術分野】
【０００１】
（関連出願とのクロスレファレンス）
本願は、「照明デバイスおよび照明方法」（発明者：アントニー・ポール・バン・ド・ベンおよびジェラルド・エイチ・ネグレー；代理人整理番号931 035PRO）を発明の名称とし、２００６年１２月１日に出願された米国仮特許出願第60/868,134号の権利を請求するものであり、本願では、この特許出願全体を援用する。
本願は、「照明デバイスおよび照明方法」（発明者：アントニー・ポール・バン・ド・ベンおよびジェラルド・エイチ・ネグレー；代理人整理番号931 035NP）を発明の名称とし、２００６年１２月４日に出願された米国特許出願第11/566,440号の権利を請求するものであり、本願では、この特許出願全体を参考例として援用する。
（発明の分野）
本発明の要旨は照明デバイスに関し、特に１つ以上の固体発光体（例えば発光ダイオード）と、１つ以上の発光材料（例えば１つ以上の蛍光体）とを含むデバイスに関する。本発明の要旨は照明方法にも関する。
【背景技術】
【０００２】
（発明の背景）
毎年、米国で発電されるかなりの比率（ある推定値では２５％もの高い値）電気が照明に使用されている。したがって、よりエネルギー効率の高い照明をしたいというニーズが継続的に存在している。白熱光電球は極めてエネルギー効率の悪い光源であることが周知となっており、電球が消費する電気の約９０％が光ではなく熱として放出される。蛍光灯は白熱電球よりも（約１０倍）効率が高いが、固体の発光体、例えば発光ダイオードよりも効率はまだ低い。
【０００３】
更に固体の発光体の通常の寿命と比較し、白熱電球は比較的寿命が短い。例えば一般に約７５０〜１０００時間である。これと比較すると、発光ダイオードの寿命は、一般に例えば５００００〜７００００時間である。蛍光灯は白熱電球よりも寿命が長い（例えば１００００〜２００００時間）が、色再生はあまり好ましくない。
【０００４】
カラー再生は一般に演色評価数（ＣＲＩ  Ｒａ）を使用して測定される。このＣＲＩ  Ｒａは、８つの基準色を照明したときに照明システムの演色が基準放射体の演色にどれだけ相当するかについての相対的測定値の修正された平均値である。すなわち特定のランプによって照明されたときの物体の表面色の変化の相対的尺度である。照明システムによって照明されているテストカラーの一組の色座標が基準放射体によって照明されている同じテストカラーの座標と同じ場合に、ＣＲＩ  Ｒａは１００に等しくなる。昼光はＣＲＩが高く（約１００のＲａ）、白熱電球も相対的に高く（９５よりも大きいＲａ）、蛍光灯の光は上記よりも正確ではない（一般に７０〜８０のＲａとなっている）。あるタイプの特殊な照明は、ＣＲＩが極めて低い（例えば水銀蒸気またはナトリウムランプは、約４０またはそれよりも小さいＲａを有する）。ナトリウム光は、例えば高速道路を照明するのに使用される。しかしながら、ＣＲＩ  Ｒａの値が低くなるにつれて、ドライバーの応答時間は大幅に悪化する（所定の明るさに対してＣＲＩ  Ｒａが減少するにつれて視認性が低下する）。
【先行技術文献】
【特許文献】
【０００５】
【特許文献１】米国特許第4,918,487号
【特許文献２】米国特許第5,631,190号
【特許文献３】米国特許第5,912,477号
【特許文献４】米国特許第6,963,166号
【非特許文献】
【０００６】
【非特許文献１】ジー著「半導体デバイスの物理」（１９８１年第２版）の第１２〜１４章
【非特許文献２】ジー著「最新半導体デバイス物理」（１９９８年）の第７章
【非特許文献３】エンサクロペディア  オブ  フィジカルサイエンス  アンド  テクノロジー」第７巻、２３０〜２３１ページ（ロバート・エイ・マイヤー編集、１９８７年）
【非特許文献４】ケイ・エイチ・バトラー著「蛍光灯用蛍光体」（ペンシルバニア州立大学出版界、１９８０年）の９８〜１０７ページ
【非特許文献５】ジー・ブレース外著、「ルミネッセンス材料」（シュプリンガー出版、１９９４年）の１０９〜１１０ページ
【発明の概要】
【発明が解決しようとする課題】
【０００７】
従来の照明器具が直面する別の問題は照明デバイス（例えば電球など）を定期的に交換しなければならないことである。接近が困難（例えばアーチ形天井、橋、高層ビル、交通トンネル）である場合、および／または交換コストが極めて高い場合に、かかる問題は特に深刻である。従来の照明器具の代表的な寿命は約２０年であり、これは２０年間毎日６時間の使用に基づく、少なくとも約４４０００時間の発光デバイスの使用に対応する。発光デバイスの寿命は一般により短いので、周期的に交換しなければならない。
【０００８】
したがって、これら理由およびその他の理由から、広範な種々の用途において、白熱ライト、蛍光灯およびその他の発光デバイスの代わりに、固体発光体を使用できるようにする方法を開発する努力が続けられて来た。更に、既に固体発光体が使用されている場合は、例えばエネルギー効率、演色評価数（ＣＲＩ  Ｒａ）、コントラスト、有効性（ｌｍ／Ｗ）および／または使用可能時間に関して改善された固体発光体を含むデバイスを提供する努力が続けられている。
【０００９】
発光ダイオードは、電流を光に変換する周知の半導体デバイスである。範囲が広がりつつある目的に対し、次第に普及しつつある分野において、広範な種々の発光ダイオードが使用されている。
【００１０】
より詳細には、発光ダイオードとは、ｐ−ｎ接合構造の両端に電位差を加えると光（紫外線、可視光または赤外光）を発光する半導体デバイスのことである。発光ダイオードおよび関連する多くの構造を製造する周知の方法が多数存在しており、本発明の要旨はかかる任意のデバイスを使用できる。例えばジー著「半導体デバイスの物理」（非特許文献１）（１９８１年第２版）の第１２〜１４章、およびジー著「最新半導体デバイス物理」（非特許文献２）（１９９８年）の第７章は、発光ダイオードを含む種々のフォトニックデバイスについて述べている。
【００１１】
（例えば）電子機器ショップで販売されており、共通に認識されており、かつ商業的に入手可能な発光ダイオード（ＬＥＤ）とは、一般に多数の部品から製造された「実装された」デバイスを示す。これら実装されたデバイスは一般に、米国特許第4,918,487号（特許文献１）、同第5,631,190号（特許文献２）および同第5,912,477号（特許文献３）に記載されているが、これらに限定されない半導体に基づく発光ダイオード、種々のワイヤー接続部および発光ダイオードを封入するパッケージを含む。
【００１２】
周知のように、発光ダイオードは、伝導帯と、半導体活性（発光）層の価電子帯との間のバンドギャップを越えて電子を励起することによって光を発生する。電子が遷移することにより、バンドギャップに応じた波長で光を発生する。したがって、発光ダイオードが発生する光の色（波長）は、発光ダイオードの活性層の半導体材料に応じて決まる。
【００１３】
固体発光体、例えば発光ダイオードの開発は、多くの態様で照明業界に革命をもたらしたが、固体発光体の特性の一部にはまだ課題があり、その課題の一部はまだ完全に解決されているわけではない。例えば特定の発光ダイオードの発光スペクトルは、一般に（発光ダイオードの組成および構造によって決まる）単一波長を中心としており、このことは一部の用途では好ましいが、他の用途には好ましくない（例えば照明用には好ましくなく、かかる発光スペクトルはＣＲＩ  Ｒａを極めて小さくする）。
【００１４】
白色として知覚される光は、必ず２つ以上の色（すなわち波長）の光の混合であるので、白色を発生できる単一発光ダイオード接合部はこれまで開発されていない。それぞれ赤色、緑色および青色発光ダイオードから形成された発光ダイオードピクセル／クラスターを有する「白色」発光ダイオードランプはこれまで製造されている。（１）青色光を発生する発光ダイオードと、（２）この発光ダイオードが発光した光による励起に応答し、黄色光を発光する発光材料（蛍光体）とを含み、よって青色光と黄色光とが混合されると、白色光として知覚される光を発生する他の「白色」発光ダイオードランプもこれまで製造されている。
【００１５】
一般に１９３１ＣＩＥ色度図（１９３１年に制定された原色に関する国際規格）および１９７６ＣＩＥ色度図（１９３１色度図に類似しているが、色度図上の同様な距離が、カラーに関する視覚される同様な差を示す）は、色の重みづけされた和として色を定義するための有効な基準を提供している。
【００１６】
種々の発光材料（および例えば米国特許第6,600,175号（この特許の全体を参考例として援用する）に開示されているようなルミファー（lumiphor）またはルミノフォリック(luminophoric)媒体として知られる発光材料を含む構造体）は周知であり、当業者には利用可能となっている。例えば蛍光体とは、励起放射線源によって励起されると応答性放射（例えば可視光）を発光する発光材料のことである。多くの場合、応答放射は励起放射線の波長と異なる波長を有する。発光材料の他の例として、シンチレータ、昼光グローテープ、および紫外光で照明すると可視スペクトルでグロー状態となるインクを挙げることができる。
【００１７】
発光材料は、例えばフォトンをより低いエネルギーレベル（より長い波長）に変換するダウンコンバート材料またはフォトンをより高いエネルギーレベル（より短い波長）に変換するアップコンバート材料のように分類できる。
【００１８】
上記のように、例えばブレンド法またはコーティング法により、クリアまたは透明なカプセル化材料、例えばエポキシをベースとする材料、シリコーンをベースとする材料、ガラスをベースとする材料、または酸化金属をベースとする材料に発光材料を添加することにより、ＬＥＤデバイスへの発光材料の封入を行っていた。
【００１９】
例えば米国特許第6,963,166号（特許文献４）は、発光ダイオードチップと、この発光ダイオードチップをカバーするための弾丸形状をした透明ハウジングと、発光ダイオードチップに電流を供給するためのリード線と、発光ダイオードチップの発光を均一方向に反射するためのカップ反射器とを含む従来の発光ダイオードランプを開示しており、発光ダイオードチップは、第１樹脂部分によってカプセル化され、更に第１樹脂部分は第２樹脂部分によってカプセル化されている。この特許文献４によれば、カップ反射器を樹脂材料で満たし、発光ダイオードチップをカップ反射器の底部に取り付け、次に発光ダイオードチップのカソード電極およびアノード電極をワイヤーによってリード線に電気的に接続した後に、樹脂材料を硬化することにより、第１樹脂部分が得られる。この特許文献４によれば、発光ダイオードチップから発光された光Ａによって励起されるよう、第１樹脂部分内に蛍光体が分散されており、励起された蛍光体は光Ａよりも波長の長い蛍光（光Ｂ）を発生し、この光Ａの一部は蛍光体を含む第１樹脂部分を硬化し、この結果、光Ａと光Ｂの混合である光Ｃが照明光として使用される。
【００２０】
上記のように、白色白熱ランプの潜在的な代替物としてこれまで「白熱ＬＥＤランプ」（例えば白色または近白色として知覚される光）が研究されている。白色ＬＥＤランプの代表的な例はＹＡＧのような蛍光体によってコーティングされた、窒化インジウムガリウム（ＩｎＧａＮ）または窒化ガリウム（ＧａＮ）から構成された青色発光ダイオードチップのパッケージを含む。かかるＬＥＤランプでは、青色発光ダイオードチップは青色光を発生し、蛍光体はこの発光を受けた際に黄色の蛍光を発生する。例えば一部の設計では、青色半導体発光ダイオードの出力表面にセラミックの蛍光層を形成することによって、白色発光ダイオードランプを製造している。発光ダイオードチップから発生される青色光線の一部は蛍光体を通過するが、発光ダイオードチップから発生される青色光線の一部は蛍光体によって吸収され、蛍光体は励起状態となり、黄色光線を発生する。発光ダイオードによって発生され、蛍光体を通過した青色光の一部は、蛍光体が発生する黄色光と混合される。観察者は青色光と黄色光の混合光を白色光として知覚する。蛍光材料と組み合わされた青色または紫色光発光ダイオードチップを使用し、蛍光材料が赤色またはオレンジと、緑または黄色味の緑の光線を発生する別のタイプもある。かかるランプでは、発光ダイオードチップが発生した青色光または紫色光の一部が蛍光体を励起し、蛍光体が赤色光線またはオレンジ色光線と、黄色光線または緑色光線を発生させる。青色光線または紫色光線と組み合わされたこれら光線は、白色光として知覚される。
【００２１】
上記のように、別のタイプのＬＥＤランプでは、紫外光線を発生する発光ダイオードチップと、赤色（Ｒ）、緑色（Ｇ）および青色（Ｂ）光線を発生する蛍光材料が組み合わされている。かかる「ＲＧＢ  ＬＥＤランプ」では、発光ダイオードチップから放射された紫外線が蛍光体を励起し、蛍光体が赤色光線、緑色光線および青色光線を発光するようにし、これら光線は混合され、人の眼によって白色光と知覚される。したがって、これら光線の混合として白色光を得ることもできる。
【００２２】
現在存在するＬＥＤコンポーネントパッケージとその他の電子回路とを１つの照明具に組み込む構造もこれまで提供されている。かかる構造では、回路基板にパッケージされているＬＥＤが取り付けられ、（もしくはヒートシンクに直接取り付けられ）、回路基板はヒートシンクに取り付けられ、ヒートシンクは必要なドライブ電子回路と共に照明具のハウジングに取り付けられる。多くのケースでは、（パッケージ部品に二次的な）追加の光学系も必要である。
【００２３】
他の光源、例えば白熱電球の代わりに固体発光体に置き換える際に、従来の照明具、例えば中空レンズと、このレンズに取り付けられたフェースプレートとを含む照明具と共に、パッケージ化されたＬＥＤが使用されており、ベースプレートは電源に電気的に結合された１つ以上の接点と共に、従来のソケットハウジングを有する。例えば電気回路基板と、この回路基板に取り付けられた複数のパッケージ化されたＬＥＤと、回路基板に取り付けられ、照明具のソケットハウジングに接続されるようになっている接続ポストとを備え、電源によって前記複数のＬＥＤを照明できるようなＬＥＤ電球がこれまで製造されている。
【００２４】
高いエネルギー効率、改善された演色評価数（ＣＲＩ  Ｒａ）、改善された有効性（ｌｍ／Ｗ）、および／または使用可能時間で、広範な用途において白色光を提供するために固体発光体、例えば発光ダイオードを使用するための方法に対するニーズが継続して存在する。
【課題を解決するための手段】
【００２５】
（発明の簡単な概要）
比較的効率的であるが演色性が悪く、ＣＲＩ  Ｒａが一般に７５未満であり、特に赤色の演色性に欠陥があり、更に緑色の演色性においてもかなりの程度欠陥がある「白色」ランプ光源が存在する。このことは、典型的な人の肌色、食品アイテム、ラベル、ペイント、ポスター、サイン、アパレル、家の装飾、植物、花、自動車などを含む多くのものは、白熱ライトまたは自然昼光で照明された場合と比較して、変な、または違った色を呈することを意味する。一般に、かかる白色ＬＥＤランプは約５０００Ｋの色温度を有し、この値は一般的な照明に視覚的に快適なものではないが、商業的な演出または広告および印刷物の照明に対して望ましい場合があり得る。
【００２６】
ある、いわゆる「暖かい白色の」ＬＥＤランプは、屋内使用に対しより受け入れ可能な色温度（一般に２７００〜３５００Ｋ）を有し、一部の特殊なケースでは、（Ｒａ＝９５程度に高い黄色と赤色の傾向体混合物では）良好なＣＲＩ  Ｒａを有するが、これらランプの効率は標準的な「冷たい白色の」ＬＥＤランプの効率よりもかなり低い。
【００２７】
ＲＧＢ  ＬＥＤランプによって照明されたカラー物体が真のカラーで見えないことがときどきある。例えば黄色光だけを反射し、よって白色光で照明されたときに黄色に見える物体は、ＲＧＢ  ＬＥＤ照明具の赤色ＬＥＤおよび緑色ＬＥＤによって発生される見かけ上黄色を有する光で照明すると、飽和状態にない灰色に見えることがある。したがって、かかるランプは特に一般的な照明のように、種々の背景を照明するとき、特に自然のシーンに関してすぐれた演色性を提供しないと見なされている。更に現在入手できる緑色ＬＥＤは比較的効率が悪く、よってかかるランプの効率を制限する。
【００２８】
広範な種々の色合いを有するＬＥＤを使用することは、低い効率を有するＬＥＤを含む種々の効率を有するＬＥＤを同じように用いることを必要とするので、かかるシステムの効率を下げ、多くの異なるタイプのＬＥＤを制御し、光のカラーバランスを維持するための回路の複雑さおよびそのコストを劇的に高める。
【００２９】
したがって、白色ＬＥＤランプの効率および長い寿命（このランプは比較的非効率な光源の使用を回避する）と、許容可能な色温度および良好な演色性、広い色領域および簡単な制御回路とを組み合わせた高い効率の白色光源に対するニーズが存在する。
【００３０】
したがって、本発明の要旨の第１の態様によれば、
（１）前記第１グループの固体発光体、（２）前記第１グループのルミファーおよび（３）前記第２グループの固体発光体によって発光され、前記照明デバイスから射出された光の混合光は、１９３１ＣＩＥ色度図上の黒体軌跡上の少なくとも１つのポイントの１０のマッカダム楕円内にあるポイントを定める１９３１ＣＩＥ色度図上にｘ、ｙ座標を有する混合光を発生し、
（１）前記第１グループの固体発光体、および（２）前記第１グループのルミファーによって発光され、前記照明デバイスから射出された光の混合光は、任意の別の光がない場合に、第１線分、第２線分、第３線分、第４線分および第５線分（第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である）によって囲まれた１９３１ＣＩＥ色度図上の領域内にあるポイントを定めるｘ、ｙ色座標を有するサブ混合光を発生するよう
（１）４３０ｎｍ〜４８０ｎｍの領域内にピーク波長を有する光を発光する１つ以上の固体発光体を点灯し、
（２）５５５ｎｍ〜５８５ｎｍの領域内に主要な波長を有する光を発光する１つ以上のルミファーを励起し、
（３）６６０ｎｍ〜６３０ｎｍの領域内に主要な波長を有する光を発光する１つ以上の固体発光体を点灯すると、予期しないことに、驚くほど高い効力を得ながら、驚くほど高いＣＲＩ  Ｒａが得られることを発見した。
【００３１】
「主要な波長」なる表現は、スペクトルのうちの知覚される色を示すための、周知の、かつ受け入れられている意味にしたがって使用する。すなわち光源のスペクトルカラー分布において最大のパワーを有するスペクトル線を示すよう、周知となっている「ピーク波長」と異なり、光源によって発生される観察光から知覚される色の感覚に最も類似する色の感覚（すなわち「色合い」にほぼ類似する）を発生する光の単一波長を意味する。人の眼はすべての波長を等しくは知覚せず（人の眼は、赤色および青色よりも黄色および緑色を容易に知覚する）、かつ多くの固体発光体（例えばＬＥＤ）によって発生される光は実際にはある領域の波長であるので、知覚される色（例えば主要波長）は最大のパワーを有する波長（ピーク波長）には必ずしも等しくない（異なっていることが多い）。レーザーのような、真の単色の光は主要波長とピーク波長が同一である。
【００３２】
したがって、本発明の要旨の第１の態様によれば、
少なくとも１つの固体発光体を含む、第１グループの固体発光体と、
少なくとも１つのルミファーを含む第１グループのルミファーと、
少なくとも１つの固体発光体を含む、第２グループの固体発光体と、
少なくとも１つの第１電力線とを備え、前記第１グループの固体発光体の各々と前記第２グループの固体発光体の各々とは、前記第１電力線に電気的に接続されており、
前記第１グループの固体発光体の各々は、点灯された場合に４３０ｎｍ〜４８０ｎｍの領域内にピーク波長を有する光を発光し、
前記第１グループのルミファーの各々は、励起された場合に約５５０ｎｍ〜５８５ｎｍの領域内に主要波長を有する光を発光し、
前記第２グループの固体発光体の各々は、点灯された場合に６００ｎｍ〜６３０ｎｍの領域内に主要波長を有する光を発光し、
前記第１電力線に電流が供給された場合に、
前記第１グループの固体発光体によって発光され、前記照明デバイスから射出された光（１）と、前記第１グループのルミファーによって発光され、前記照明デバイスから射出された光（２）と、前記第２グループの固体発光体によって発光され、前記照明デバイスから射出された光（３）との混合光は、任意の別の光がない場合に、１９３１ＣＩＥ色度図上の黒体軌跡上の少なくとも１つのポイントの１０のマッカダム楕円内にあるポイントを定める１９３１ＣＩＥ色度図上にｘ、ｙ座標を有する光の混合を発生し、
前記第１グループの固体発光体によって発光され、前記照明デバイスから射出された光（１）と、前記第１グループのルミファーによって発光され、前記照明デバイスから射出された光（２）との混合光は、任意の別の光がない場合に、第１線分、第２線分、第３線分、第４線分および第５線分によって囲まれた１９３１ＣＩＥ色度図上の領域内にあるポイントを定めるｘ、ｙ色座標を有するサブ混合光を発生し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である、照明デバイスが提供される。
【００３３】
本発明の要旨の第１の態様に係わる一部の実施形態では、照明デバイスは、前記第１電力線に電気的に接続された少なくとも１つのスイッチを更に備え、前記スイッチは、前記第１電力線への電流を選択的にオンオフするようにスイッチングする。
【００３４】
１９３１ＣＩＥ色度図上、および／または１９７６ＣＩＥ色度図上の黒体軌跡に近い（例えばマッカダム楕円内にある）ことを基準にして本明細書で説明する混合光に関し、本発明の要旨は更に２７００Ｋ、３０００Ｋまたは３５００Ｋの色温度を有する黒体軌跡上の光に近いかかる混合光にも関する。
すなわち第１線分、第２線分、第３線分、第４線分および第５線分によって囲まれた１９３１ＣＩＥ色度図上の領域内にあるポイントを定めるｘ、ｙ色座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.４５７８、０.４１０１であり、第２ポイントのｘ、ｙ座標は０.４８１３、０.４３１９であり、第３ポイントのｘ、ｙ座標は０.４５６２、０.４２６０であり、第４ポイントのｘ、ｙ座標は０.４３７３、０.３８９３であり、第５ポイントのｘ、ｙ座標は０.４５９３、０.３９４４である（すなわち２７００Ｋに近い）混合光、
または、
第１線分、第２線分、第３線分、第４線分および第５線分によって囲まれた１９３１ＣＩＥ色度図上の領域内にあるポイントを定めるｘ、ｙ色座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.４３３８、０.４０３０であり、第２ポイントのｘ、ｙ座標は０.４５６２、０.４２６０であり、第３ポイントのｘ、ｙ座標は０.４２９９、０.４１６５であり、第４ポイントのｘ、ｙ座標は０.４２５７、０.３８１４であり、第５ポイントのｘ、ｙ座標は０.４３７３、０.３８９３である（すなわち３０００Ｋに近い）混合光、
または、
第１線分、第２線分、第３線分、第４線分および第５線分によって囲まれた１９３１ＣＩＥ色度図上の領域内にあるポイントを定めるｘ、ｙ色座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.４０７３、０.３９３０であり、第２ポイントのｘ、ｙ座標は０.４２９９、０.４１６５であり、第３ポイントのｘ、ｙ座標は０.３９９６、０.４０１５であり、第４ポイントのｘ、ｙ座標は０.３８８９、０.３６９０であり、第５ポイントのｘ、ｙ座標は０.４１４７、０.３８１４である（すなわち３５００Ｋに近い）混合光に関する。
【００３５】
本発明の要旨の第２の態様によれば、
少なくとも１つの固体発光体を含む、第１グループの固体発光体を点灯し、前記第１グループの固体発光体の各々が４３０ｎｍ〜４８０ｎｍの領域内にピーク波長を有する光を発光するようにするステップと、
少なくとも１つの固体発光体を含む、第２グループの固体発光体を点灯し、前記第２グループの固体発光体の各々が６００ｎｍ〜６３０ｎｍの領域内に主要波長を有する光を発光するようにするステップと、
少なくとも１つのルミファーを含む第１グループのルミファーを励起し、前記第１グループのルミファーの各々が５５５ｎｍ〜５８５ｎｍの領域内に主要波長を有する光を発光するようにするステップとを備え、
前記第１グループの固体発光体によって発光され、前記照明デバイスから射出された光（１）と、前記第１グループのルミファーによって発光され、前記照明デバイスから射出された光（２）と、前記第２グループの固体発光体によって発光され、前記照明デバイスから射出された光（３）との混合光は、１９３１ＣＩＥ色度図上の黒体軌跡上の少なくとも１つのポイントの１０のマッカダム楕円内にあるポイントを定める１９３１ＣＩＥ色度図上にｘ、ｙ座標を有する混合光を発生し、
前記第１グループの固体発光体によって発光され、前記照明デバイスから射出された光（１）と、前記第１グループのルミファーによって発光され、前記照明デバイスから射出された光（２）との混合光は、任意の別の光がない場合に、第１線分、第２線分、第３線分、第４線分および第５線分によって囲まれた１９３１ＣＩＥ色度図上の第１領域内にあるポイントを定めるｘ、ｙ色座標を有するサブ混合光を発生し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である、照明方法が提供される。
【００３６】
本発明の要旨に係わるある実施形態では、第１電力線に電流を供給した場合、照明デバイスによって発光される光の実質的にすべてが、第１グループの固体発光体と、第２グループのルミファーと、第２グループの固体発光体によって発光される。
本発明の要旨に係わるある実施形態では、第１電力線に電流を供給した場合、第１グループの固体発光体と、第２グループのルミファーと、第２グループの固体発光体によって発光される光の強度は、照明デバイスによって発光される光の全強度のうちの少なくとも約７５％（ある実施形態では少なくとも約８５％であり、ある実施形態では少なくとも約９０％、９５％）である。
【００３７】
本発明の要旨に係わるある実施形態では、例えば第２グループの固体発光体内の１つ以上の固体発光体が、約６１５ｎｍ〜６１６ｎｍの領域内に主要波長を有する光を発生する場合、前記サブ混合光は、第１線分、第２線分、第３線分および第４線分によって囲まれた１９３１ＣＩＥ色度図上の第１領域内にあるポイントを定めるｘ、ｙ色座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第１ポイントとを接続し、第１ポイントのｘ、ｙ座標は０.３７６、０.４８７であり、第２ポイントのｘ、ｙ座標は０.４０７、０.４７０であり、第３ポイントのｘ、ｙ座標は０.３５９、０.３８４であり、第４ポイントのｘ、ｙ座標は０.３２６、０.３９１である。
【００３８】
本発明の要旨に係わるある実施形態では、例えば第２グループの固体発光体内の１つ以上の固体発光体が約６１５ｎｍ〜６１６ｎｍの領域内に主要波長を有する光を発生する場合、前記サブ混合光はｘが約０.３７３〜０.３８３の領域にあり、ｙが約０.４４１〜０.４５１のレンジ内にあるサブ領域内のポイントを定める１９３１ＣＩＥ色度図上のｘ、ｙ色座標を有する。かかる実施形態では、（例えば第１グループの固体発光体からの光と、第１グループのルミファーからの光と、第２グループの固体発光体からの光を含む）混合光は、ｘが約０.４５４〜０.４６４のレンジ内にあり、ｙが約０.４０７〜０.４１７のレンジ内にあるサブ領域内のポイントを定める、１９３１ＣＩＥ色度図上のｘ、ｙ色座標を有する。
【００３９】
本発明の要旨に係わるある実施形態では、例えば第２グループの固体発光体内の１つ以上の固体発光体が約６１５ｎｍ〜６１６ｎｍの領域内に主要波長を有する光を発生する場合、前記サブ混合光はｘが約０.３６７〜０.３７７の領域内にあり、ｙが約０.４３１〜０.４４１の領域内にあるサブ領域内のポイントを定める１９３１ＣＩＥ色度図上のｘ、ｙ色座標を有する。かかる実施形態では、（例えば第１グループの固体発光体からの光と、第１グループのルミファーからの光と、第２グループの固体発光体からの光を含む）混合光は、ｘが約０.４４３〜０.４５３の領域内にあり、ｙが約０.４０２〜０.４１２の領域内にあるサブ領域内のポイントを定める、１９３１ＣＩＥ色度図上のｘ、ｙ色座標を有する。
【００４０】
本発明の要旨に係わるある実施形態では、例えば第２グループの固体発光体内の１つ以上の固体発光体が約６１５ｎｍ〜６１６ｎｍの領域内に主要波長を有する光を発生する場合、前記サブ混合光はｘが約０.３６３〜０.３７３の領域内にあり、ｙが約０.４２３〜０.４３３の領域内にあるサブ領域内のポイントを定める１９３１ＣＩＥ色度図上のｘ、ｙ色座標を有する。かかる実施形態では、（例えば第１グループの固体発光体からの光と、第１グループのルミファーからの光と、第２グループの固体発光体からの光を含む）混合光はｘが約０.４３５〜０.４４５の領域内にあり、ｙが約０.３９８〜０.４０８の領域内にあるサブ領域内のポイントを定める、１９３１ＣＩＥ色度図上のｘ、ｙ色座標を有する。
【００４１】
本発明の要旨に係わるある実施形態では、例えば第２グループの固体発光体内の１つ以上の固体発光体が約６１５ｎｍ〜６１６ｎｍの領域内に主要波長を有する光を発生する場合、前記サブ混合光はｘが約０.３５２〜０.３６２の領域内にあり、ｙが約０.４０３〜０.４１３の領域内にあるサブ領域内のポイントを定める１９３１ＣＩＥ色度図上のｘ、ｙ色座標を有する。かかる実施形態では、（例えば第１グループの固体発光体からの光と、第１グループのルミファーからの光と、第２グループの固体発光体からの光を含む）混合光はｘが約０.４０６〜０.４１６の領域内にあり、ｙが約０.３８８〜０.３９８の領域内にあるサブ領域内のポイントを定める、１９３１ＣＩＥ色度図上のｘ、ｙ色座標を有する。
【００４２】
本発明の要旨に係わるある実施形態では、前記サブ混合光は、第１線分、第２線分、第３線分および第４線分によって囲まれた１９３１ＣＩＥ色度図上の第２領域内にあるポイントを定めるｘ、ｙ色座標を有し、第１線分は第１ポイントと第２ポイントとを接続し、第２線分は第２ポイントと第３ポイントとを接続し、第３線分は第３ポイントと第４ポイントとを接続し、第４線分は第４ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４１、０.４５５であり、第４ポイントのｘ、ｙ座標は０.３６、０.３８である。
【００４３】
本発明の要旨に係わるある実施形態では、前記第１グループの固体発光体の内の固体発光体のすべてを点灯した場合に、前記第１グループのルミファー内の少なくとも１つが前記第１グループの固体発光体から発光された光により励起される。
【００４４】
本発明の要旨に係わるある実施形態では、前記第１グループの固体発光体の内の固体発光体のすべてを点灯した場合に、前記第１グループのルミファーの内のすべてのルミファーが前記第１グループの固体発光体から発光された光により励起される。
【００４５】
本発明の要旨に係わるある実施形態では、前記第１グループの前記固体発光体のうちの固体発光体のうちの少なくとも１つは、カプセル化要素内に埋め込まれており、前記カプセル化要素内には前記第１グループのルミファーのうちの少なくとも１つも埋め込まれている。
【００４６】
本発明の要旨に係わるある実施形態では、前記混合光は、少なくとも８０のＣＲＩ  Ｒａを有し、ある場合少なくとも８３、ある場合少なくとも８５、ある場合少なくとも９０、ある場合少なくとも９２を有する。
【００４７】
本発明の要旨に係わるある実施形態では、前記照明デバイスは、ワット当たり少なくとも２５ルーメン、ある場合、少なくともワット当たり少なくとも５０ルーメン、ある場合、少なくともワット当たり少なくとも５０ルーメン、ある場合、ワット当たり少なくとも７０ルーメン、ある場合、ワット当たり少なくとも８０ルーメンの有効性を有する。
【００４８】
本発明の要旨に係わるある実施形態では、混合光は、１９３１ＣＩＥ色度図上の黒体軌跡上の少なくとも１つのポイントの５つのマッカダム楕円、ある場合では３つのマッカダム楕円内にあるポイントを定める１９３１ＣＩＥ色度図上のｘ、ｙ座標を有する。
【００４９】
本発明の要旨に係わるある実施形態では、第１グループの固体発光体の各々は、点灯された場合に４４０ｎｍ〜４８０ｎｍ（ある実施形態では４４０ｎｍ〜４７０ｎｍ）の領域内にピーク波長を有する光を発光し、
前記第１グループのルミファーの各々は、励起された場合に約５６０ｎｍ〜５８０ｎｍ（ある実施形態では５６５ｎｍ〜５７５ｎｍ）の領域内に主要波長を有する光を発光し、および／または
前記第２グループの固体発光体の各々は、点灯された場合に６０５ｎｍ〜６３０ｎｍ（ある実施形態では６１０ｎｍ〜６２０ｎｍ）の領域内に主要波長を有する光を発光する。
【００５０】
本発明の要旨は、更に、囲まれた空間と本発明の要旨に係わる少なくとも１つの照明デバイスとを含む照射された包囲体（enclosure）（その容積が均一または非均一に照射される）に関し、前記照明デバイスは、前記囲まれた空間のうちの少なくとも一部を（均一に、または非均一に）照射する。
【００５１】
本発明の要旨は、ある表面と本明細書に記載の少なくとも１つの照明デバイスとを含む構造体であり、前記第１電力線に電流を供給した場合に、この照明デバイスは前記表面のうちの少なくとも一部を照明する構造体に関する。
【００５２】
本発明の要旨は、例えば構造体、プールまたは温泉、部屋、倉庫、インジケータ、道路、駐車場、車両、サイン（例えば道路標識）、広告板、船、玩具、鏡、船舶、電子デバイス、ボート、航空機、スタジアム、コンピュータ、リモートオーディオ装置、リモートビデオ装置、携帯電話、樹木、窓、ＬＣＤデバイス、洞窟、トンネル、庭、街灯ポストから成る群から選択され、本明細書に説明したような少なくとも１つの照明デバイスが内部または上部に取り付けられている少なくとも１つの品目を含む照明領域にも関する。
【００５３】
本発明の要旨に係わるある実施形態では、照明デバイスは少なくとも１つの別の白色固体発光体、すなわち白色または白色に近いとされる光を発光するデバイス（例えば少なくとも１つの発光ダイオードチップおよび／または少なくとも１つのルミファーを含むパッケージされたＬＥＤを含み、これらチップおよび／またはルミファーは点灯および／または励起されると、白色または白色に近い光として知覚される光の組み合わせを発光するパッケージ化されたＬＥＤ、例えば青色発光ダイオードチップと黄色ルミファーとから成るパッケージ化されたＬＥＤ）を更に含み、このデバイスでは、１つ以上の別の白色固体発光ランプの各々が、上記のように第１線分、第２線分、第３線分、第４線分および第５線分によって囲まれた１９３１ＣＩＥ色度図上の第１領域の外側にあるポイントを定めるｘ、ｙカラー座標を有する光の組み合わせを発光する。
【００５４】
本発明の要旨に係わるある実施形態では、第１サブグループの発光ダイオード、第１サブグループのルミファー、第２サブグループの発光ダイオードおよび第２サブグループのルミファーによりサブ混合光が発光され、次のような発光が得られる。
【００５５】
第１サブグループの発光ダイオードの各々が点灯され、第１サブグループのルミファーの各々が励起された場合、第１サブグループの発光ダイオードおよび第１グループのルミファーから発光される混合光は、別の光がない場合に（上記のような）第１領域の外側にある１９３１ＣＩＥ色度図上の第１サブ領域（例えば第１線分、第２線分、第３線分および第４線分によって囲まれた領域であり、第１線分は第１ポイントと第２ポイントとを接続し、第２線分は第２ポイントと第３ポイントとを接続し、第３線分は第３ポイントと第４ポイントとを接続し、第４線分は第４ポイントと第１ポイントとを接続し、第１ポイントのｘ、ｙ座標は０.３６、０.４８であり、第２ポイントのｘ、ｙ座標は０.４３、０.４５であり、第３ポイントのｘ、ｙ座標は０.５１２５、０.４８６６であり、第４ポイントのｘ、ｙ座標は０.４０８７、０.５８９６である）内にｘ，ｙ座標を有する第１サブグループの混合光を有する。
【００５６】
第２サブグループの発光ダイオードの各々が点灯され、第２サブグループのルミファーの各々が励起された場合、第２サブグループの発光ダイオードおよび第２グループのルミファーから発光される混合光は、別の光がない場合に（上記のような）第１領域の外側にあり、かつ第１サブ領域（例えば第５線分、第６線分、第７線分および第８線分によって囲まれた領域であり、第５線分は第５ポイントと第６ポイントとを接続し、第６線分は第６ポイントと第７ポイントとを接続し、第７線分は第７ポイントと第８ポイントとを接続し、第８線分は第８ポイントと第５ポイントとを接続し、第５ポイントのｘ、ｙ座標は０.３２、０.４０であり、第６ポイントのｘ、ｙ座標は０.３６、０.３８であり、第７ポイントのｘ、ｙ座標は０.２５、０.２９であり、第８ポイントのｘ、ｙ座標は０.３０、０.２６である）の外側にある１９３１ＣＩＥ色度図上の第２サブグループ領域内にｘ，ｙ座標を有する第２サブグループの混合光を有する。
【００５７】
第１サブグループの発光ダイオードおよび第２サブグループの発光ダイオードの各々が点灯され、第１サブグループのルミファーおよび第２サブグループのルミファーの各々が励起された場合、第１サブグループの発光ダイオード、第２サブグループの発光ダイオード、第１サブグループのルミファーおよび第２サブグループのルミファーから発光される混合光は、別の光がない場合に、１９３１ＣＩＥ色度図上の第１領域（例えば第９線分、第１０線分、第１１線分、第１２線分および第１３線分によって囲まれた領域であり、第９線分は第９ポイントと第１０ポイントとを接続し、第１１線分は第１１ポイントと第１２ポイントとを接続し、第１２線分は第１２ポイントと第１３ポイントとを接続し、第１３線分は第１３ポイントと第１０ポイントとを接続し、第９ポイントのｘ、ｙ座標は０.３２、０.４０であり、第１０ポイントのｘ、ｙ座標は０.３６、０.４８であり、第１１ポイントのｘ、ｙ座標は０.４３、０.４５であり、第１２ポイントのｘ、ｙ座標は０.４２、０.４２であり、第１３ポイントのｘ、ｙ座標は０.３６、０.３８である）内にｘ，ｙ座標を有する第１グループと第２グループとの混合光を有する。かかる種々の照明デバイスは、「照明デバイスおよび照明方法」（発明者：アントニー・ポール・バン・ド・ベンおよびジェラルド・エイチ・ネグレー；代理人整理番号931 027PRO）を発明の名称とし、２００６年１１月７日に出願された米国特許出願第60/857,305号および２００７年１１月７日に出願された米国特許出願第11/936,163号（これら明細書の全体を本明細書で参考例として援用する）に開示されている。
【００５８】
本発明の要旨の第２の態様に係わる一部の実施形態では、第１電力線に電流を供給することによって、第１グループおよび第２グループの固体発光体を点灯する。
【００５９】
固体発光体は、飽和タイプまたは非飽和タイプのものでよい。本明細書で使用する「飽和」なる用語は、少なくとも８５％の純度を有するという意味であり、「純度」なる用語は当業者に周知の意味を有し、この純度を計算する方法は当業者には周知である。
【００６０】
本発明の要旨に関連する特徴は、１９３１ＣＩＥ（照明に関する国際委員会）色度図または１９７６ＣＩＥ色度図のいずれかに示すことができる。図１は１９３１ＣＩＥ色度図を示し、図２は１９７６色度図を示し、図３は黒体軌跡を含む１９７６色度図を示す。当業者であればこれら図について精通しているはずであり、これら図は、（例えばインターネットで「ＩＣＥ色度図」を検索することにより）容易に入手できる。
【００６１】
このＣＩＥ色度図は、２つのＣＩＥパラメータｘおよびｙ（１９３１図の場合）またはｕ’およびｖ’（１９７６図の場合）の文字で、人の色の知覚をマッピングしたものである。ＣＩＥ色度図を技術的に記述するには、例えば「エンサクロペディア  オブ  フィジカルサイエンス  アンド  テクノロジー」第７巻、２３０〜２３１ページ（ロバート・エイ・マイヤー編集、１９８７年）を参照されたい。人の眼によって知覚される色合いのすべてを含む、輪部で描かれた空間の端のまわりに、スペクトルカラーが分布する。境界線はスペクトルカラーに対する最大飽和を示す。上記のように、１９７６ＣＩＥ色度図は１９３１色度図に類似しているが、色度図上の同じ距離が同様な色の知覚の差を示すように、１９７６ＣＩＥ色度図は変更された点が異なっている。
【００６２】
１９３１色度図では、色度図上のポイントからのずれは座標によって表示できるか、またはこれとは別に、マッカダム楕円により、知覚される色差の程度に関する表示をするように表記できる。例えば１９３１色度図上の特定の組みの座標によって定められる特定の色合いからの１０のマッカダム楕円として定められるポイントの軌跡は、特定の色合いから、共通する度合いだけ各々が異なって知覚されるような色合い（更に同様にマッカダム楕円の他の量だけ特定の色合いから離間すると定義されるポイントの軌跡に対する色合い）から成る。
【００６３】
１９７６図上の同様な距離は、色の同様な知覚差を示すので、１９７６色度図上のポイントからのずれを座標ｕ’およびｖ’、例えばポイントからの距離
【数１】
2010511978.tif 000003
で表記することができ、各々が特定の色合いからの共通距離にあるポイントの軌跡によって定められる色合いは、各々が特定の色合いから共通する程度異なって知覚される色合いから成る。
【００６４】
図１〜３に示された色度座標およびＣＩＥ色度図は、多数の書籍および他の刊行物、例えばケイ・エイチ・バトラー著「蛍光灯用蛍光体」（ペンシルバニア州立大学出版界、１９８０年）の９８〜１０７ページ、およびジー・ブレース外著、「ルミネッセンス材料」（シュプリンガー出版、１９９４年）の１０９〜１１０ページ（いずれも本明細書で参考例として援用する）により詳細に記載されている。
【００６５】
黒体軌跡に沿った色度座標（すなわちカラーポイント）は、次のようなプランクの方程式
【数２】
2010511978.tif 000004
に従い、ここで、Ｅは発光強度であり、８は発光波長であり、Ｔは黒体の色温度であり、ＡおよびＢは定数である。黒体の軌跡の上またはその近くにあるカラー座標は、人の観察者に対して快適な白色光を発生する。１９７６ＣＩＥ色度図は、黒体軌跡に沿った色のリストを含む。これら色のリストは、かかる温度を高めるようにされた黒体輻射体のカラー軌跡を示す。加熱された物体が白熱状態になるにつれ、この物体は、まず赤みがかって発光し、次に黄色味がかり、次に白色、最後に青色味がかる。このような現象が生じる理由は、ウィーン変位則に従い、温度が高まるにつれ黒体輻射体のピーク輻射に関連する波長が次第に短くなるからである。したがって、黒体の軌跡上またはその近くにある光を発生する発光体を、その色温度で記述できる。
【００６６】
以下、添付図面および本発明の要旨の次の詳細な説明により、本発明の要旨についてより詳細に説明する。
【図面の簡単な説明】
【００６７】
【図１】１９３１ＣＩＥ色度図を示す。
【図２】１９７６色度図を示す。
【図３】黒体軌跡を含む１９７６色度図を示す。
【図４】本発明の要旨による照明デバイスの第１実施形態を示す。
【図５】（図４と同じスケールでは描かれていない）図４に示されたＶ−Ｖ平面に沿った断面図である。
【図６】図４および５に示された実施形態で使用されている赤色ＬＥＤ１６ａのうちの１つの横断面図である。
【図７】図４および５に示された実施形態で使用されている緑色がかった−黄色がかった発光体１６ｂのうちの１つの横断面図である。
【図８】図４に示されたデバイス内の回路の一部の電気略図である。
【図９】１９３１ＣＩＥ色度図上で本明細書で定義される第１領域を示す。
【発明を実施するための形態】
【００６８】
（発明の詳細な説明）
以下、本発明の要旨の実施形態を示した添付図面を参照し、本発明の要旨についてより全体的に説明する。しかしながら、この本発明の要旨は本明細書に記載する実施形態だけに限定されると見なすべきではない。それよりもこれら実施形態は本明細書の開示を完全にするように記載したものであり、当業者に対して本発明の要旨の範囲を完全に伝えるものである。図面において同様な番号は同様な要素を示す。本明細書に記載する「および／または」なる用語は、リストアップした関連するアイテムの１つ以上のすべての組み合わせを含むものである。
【００６９】
本明細書で使用する用語は、特定の実施形態を記述する目的のためのものであり、本発明の要旨を限定するものではない。本明細書で使用する、単一形態を示す用語「１つの」、「ある」および「その」なる用語は、特に文脈が複数の形態であることを示さないかぎり複数の形態を含むものである。更に本明細書で使用する「含む」および／または「含んでいる」なる用語は、記述する特徴、整数、ステップ、動作、要素および／またはコンポーネントの存在を特定するものであるが、他の１つ以上の特徴、整数、ステップ、動作、要素、コンポーネントおよび／またはそれらの組み合わせが存在すること、およびそれらを追加することを排除するものでないことが更に理解できよう。
【００７０】
層、領域または基板のような要素は、別の要素の「上に」存在またはそれらの「上に」延びていると記載されているとき、この要素は他の要素上に直接存在していてもよいし、または他の要素上で直接延びていてもよく、介在要素が存在していてもよい。これと対照的に、ある要素が別の要素の「直接上に」存在するか、または「直接上の方に」延びていると記載されているとき、介在要素は存在しない。また、ある要素が別の要素に「接続」または「結合」されていると記載されているとき、この要素は他の要素に直接接続または結合でき、介在要素が存在し得る。これと対照的に、ある要素が別の要素に「直接接続」されているか、または「直接結合］されていると記載されているとき、介在要素は存在できない。
【００７１】
「第１」、「第２」などの用語は本明細書では種々の要素、コンポーネント、領域、層、セクションおよび／またはパラメータを記述するのに使用できるが、これら要素、コンポーネント、領域、層、セクションおよび／またはパラメータは、これらの用語によって限定すべきではない。これらの用語は、１つの要素、コンポーネント、領域、層またはセクションを別の領域、層またはセクションから区別するのに使用するにすぎず、よって以下に記述する第１要素、コンポーネント、領域、層またはセクションは、本発明の要旨から逸脱することなく、第２要素、コンポーネント、領域、層またはセクションと称すことができる。
【００７２】
更に、「下方」または「底部」および「上部」または「頂部」なる相対関係を示す用語は、図面に示すように別の要素に対する１つの要素の関係を記述するのに使用できる。かかる相対関係を示す用語は、図面に示した配向の他に、デバイスの別の配向も含むものである。例えば図面内のデバイスを裏返し状態にした場合、別の要素の下側にあると記述されている要素は、別の要素の上側に配向されることになる。したがって、一例として「下方」なる用語は図面の特定の配向に応じて「下方」および「上方」なる配向の双方を含むことができる。同様に、図面のうちの１つに示されたデバイスを回転した場合、他の要素の「下」または「下方」にあると記述されている要素は、他方の要素の「上方」に配向されることになる。したがって、別の例として、「下」または「下方」なる用語は、上方および下方の配向の双方を含むことができる。
【００７３】
固体発光体について述べるときに、本明細書で使用する「点灯」（または「点灯された」）なる記載は、固体発光体に少なくともある光を発光させるように、固体発光体に少なくともある電流を供給していることを意味する。「点灯された」なる記載は、人の眼が連続的に発光された光として光を知覚するような速度で間欠的にまたは連続的に固体発光体が光を発光する状況、または人の眼が光を連続的に発光された光として（および異なる色を発光する場合にはこれらの色の混合として）知覚するよう同一色または異なる色の複数の固体発光体が光を間欠的および／または交互に（オン時間内に重複しながら、または重複することなく）発光する状況を含む。
【００７４】
ルミファーを記述するのに本明細書で使用される「励起された」なる用語は、少なくともある電磁放射線（例えば可視光、紫外光または赤外光）がルミファーに入射し、ルミファーに少なくともある光を発光させることを意味する。この「励起された」なる記載は、人の眼が連続的に発光された光として光を知覚するような速度で間欠的にまたは連続的にルミファーが光を発光する状況、または人の眼が光を連続的に発光された光として連続的に（および異なる色を発光する場合にはこれらの色の混合として）知覚するよう同一カラーまたは異なるカラーの複数のルミファーが光を間欠的および／または交互に（オン時間内に重複しながら、または重複することなく）発光する状況を含む。
【００７５】
本明細書で使用するような「実質的な」なる用語は、記載した特徴と少なくとも約９０％の対応性があることを意味する。
【００７６】
本明細書で使用する「照明デバイス」なる記載は、デバイスが光を発光できることを示すこと以外は限定されない。すなわち照明デバイスはある面積または容積、例えば構造物、プールまたは温泉、部屋、倉庫、インジケータ、道路、駐車場、車両、シグナル、例えば道路標識、広告板、船、玩具、鏡、大型船舶、電子デバイス、ボート、航空機、スタジアム、コンピュータ、リモートオーディオ装置、リモートビデオ装置、携帯電話、樹木、窓、ＬＣＤディスプレイ、洞窟、トンネル、庭、街灯、密閉体を照明するデバイス、または複数のデバイスのアレイ、またはエッジまたはバック照明に使用されるデバイス（例えばバックライトポスター、信号、ＬＣＤディスプレイ）、電球置換物（例えばＡＣ白熱ライトと置換するための低電圧ライト、蛍光灯など）、野外照明に使用されるライト、セキュリティ照明に使用されるライト、住宅のエクステリア照明に使用されるライト（壁マウント、ポスト−コラムマウント）、天井照明具／壁燭台、キャビネット下照明、（フロアおよび／またはテーブルおよび／またはデスク）ランプ、景観照明、トラック照明、タスク照明、特殊照明、天井ファン照明、装飾／アートディスプレイ照明、高振動／インパクト−作業照明など、鏡／化粧台照明、またはその他の任意の発光デバイスとすることができる。
【００７７】
「４３０ｎｍ〜４８０ｎｍの固体発光体」なる記載は、点灯された場合、約４３０ｎｍ〜４８０ｎｍの領域内にピーク波長を有する光を発光するような任意の固体発光体を意味する。
【００７８】
「５５５ｎｍ〜５８５ｎｍのルミファー」なる記載は、励起された場合に約５５５ｎｍ〜５８５ｎｍまでの領域内に主要な波長を有する光を発光する任意のルミファーを意味する。
【００７９】
「６００ｎｍ〜６３０ｎｍの固体発光体」なる記載は、点灯された場合に、約６００ｎｍ〜６３０ｎｍまでの領域内に主要な波長を有する光を発光する任意の固体発光体を意味する。
【００８０】
「第１電力線に電流を供給した場合に」なる記載において使用される「電流」なる用語は、６３０ｎｍ〜６８０ｎｍの固体発光体に、約４３０ｎｍ〜４８０ｎｍの領域内にピーク波長を有する光を発光させ、５５５ｎｍ〜５８５ｎｍのルミファーに約５５５ｎｍ〜５８０ｎｍの領域内に主要な波長を有する光を発光させ、および／または６００ｎｍ〜６３０ｎｍの固体発光体に６００ｎｍ〜６３０ｎｍの領域内に主要な波長を有する光を発光させるのに充分な電流を意味する。
【００８１】
「直接に、またはスイッチ可能に電気的に接続されている」なる記載は、「直接電気的に接続されている」か、または「スイッチ可能に電気的に接続されている」ことを意味する。
【００８２】
１つ以上の固体発光体が電力線に「電気的に接続されている」との本明細書の記載は、電力線に電流を供給することによって固体発光体に電流を供給できることを意味する。
【００８３】
１つ以上のスイッチが電力線に電気的に接続されている旨の本明細書の記載は、スイッチ（単数または複数）を閉じた場合に電力線に電流が流れることができ、およびスイッチのうちの１つ以上を開にした場合に電力線を電流が流れることができないようにすることを意味する。
【００８４】
デバイス内の２つのコンポーネントが「スイッチ可能に電気的に接続されている」との本明細書の記載は、２つのコンポーネントの間にスイッチが設けられており、このスイッチは選択的に開閉され、スイッチを閉じた場合に２つのコンポーネントが電気的に接続され、スイッチを開にした場合、すなわちスイッチが開になっている時間、２つのコンポーネントは電気的に接続されないことを意味する。
【００８５】
特に明記しない限り、本明細書で使用する（科学記述用語を含む）すべての用語は、本発明の要旨が属す当業者によって共通に理解されるものと同じ意味を有する。共通して使用される事象に定義されるような用語は対応する技術および本明細書の文脈における意味に一致する意味を有するものと理解すべきであり、本明細書に明示しない限り、理想的な意味または過剰に型式的な意味に理解すべきではない。当業者であれば、別の特徴部に隣接して配置される構造体または特徴部は、隣接する特徴部に重なるか、またはその下に位置する部分を有することができることも理解できよう。
【００８６】
本発明の要旨にかかわるデバイス内で使用される固体発光体および本発明の要旨にかかわるデバイス内で使用されるルミファー（単数または複数）は、当業者に知られている任意の固体発光体およびルミファーから選択できる。かかる固体発光体およびルミファーの広範な変形例は、当業者には容易に得ることができ、かつ周知となっており、これらのいずれも使用できるものである。例えば本発明の要旨を実施するのに使用できる固体発光体およびルミファーは、次の文献に記載されている。
【００８７】
（１）「照明デバイス」（発明者：ジェラルド・エイチ・ネグレイ；代理人整理番号931 003PRO）を発明の名称とし、２００５年１２月２２日に出願された米国特許出願第60/753,138号および２００６年１２月２１日に出願された米国特許出願第11/614,180号（いずれも全体を本明細書で参考例として援用する）。
【００８８】
（２）「ルミファー膜を空間的に分離することによるＬＥＤ内のスペクトルコンテントのシフト」（発明者：ジェラルド・エイチ・ネグレイおよびアントニー・ポール・バン・ド・ベン；代理人整理番号931 006PRO）を発明の名称として、２００６年４月２４日に出願された米国特許出願第60/794,379号、および２００７年１月１９日に出願された米国特許出願第11/624,811号（いずれも全体を本明細書で参考例として援用する）。
【００８９】
（３）「照明デバイス」（発明者：ジェラルド・エイチ・ネグレイおよびアントニー・ポール・バン・ド・ベン；代理人整理番号931 009PRO）を発明の名称として、２００６年５月２６日に出願された米国特許出願第60/808,702号、および２００７年５月２２日に出願された米国特許出願第11/751,982号（いずれも全体を本明細書で参考例として援用する）。
【００９０】
（４）「固体発光デバイスおよびそれを製造する方法」（発明者：ジェラルド・エイチ・ネグレイおよびニール・ハンター；代理人整理番号931 010PRO）を発明の名称として、２００６年５月２６日に出願された米国特許出願第60/808,925号、および２００７年５月２４日に出願された米国特許出願第11/753,103号（いずれも全体を本明細書で参考例として援用する）。
【００９１】
（５）「照明デバイスおよびその製造方法」（発明者：ジェラルド・エイチ・ネグレイ；代理人整理番号931 011PRO）を発明の名称として、２００６年５月２３日に出願された米国特許出願第60/802,697号、および２００７年５月２２日に出願された米国特許出願第11/751,990号（いずれも全体を本明細書で参考例として援用する）。
【００９２】
（６）「照明デバイスおよび照明方法」（発明者：アントニー・ポール・バン・ド・ベンおよびジェラルド・エイチ・ネグレイ；代理人整理番号931 034PRO）を発明の名称として、２００６年８月２３日に出願された米国特許出願第60/839,453号、および２００７年８月２２日に出願された米国特許出願第11/843,243号（いずれも全体を本明細書で参考例として援用する）。
【００９３】
（７）「照明デバイスおよび照明方法」（発明者：アントニー・ポール・バン・ド・ベンおよびジェラルド・エイチ・ネグレイ；代理人整理番号931 027PRO）を発明の名称として、２００６年１１月７日に出願された米国特許出願第60/857,305号および２００７年１１月７日に出願された米国特許出願第11/936,163号（いずれも全体を本明細書で参考例として援用する）。
【００９４】
（８）「照明デバイスおよびその製造方法」（発明者：ジェラルド・エイチ・ネグレイ；代理人整理番号931 041PRO）を発明の名称とし、２００６年１０月１２日に出願された米国特許出願第60/851,230号および２００７年１０月１１日に出願された米国特許出願第11/870,679号（いずれも全体を本明細書で参考例として援用する）。
【００９５】
かかる固体発光体のタイプの例として、無機発光ダイオードおよび有機発光ダイオードを挙げることができ、これらのタイプの各々の種々のダイオードが当技術分野で周知となっている。
【００９６】
１つ以上の発光材料を任意の望ましい発光材料とすることができる。これら１つ以上の発光材料は波長をダウンコンバートしてもよいし、アップコンバートしてもよく、更に双方のタイプの組み合わせを含むことができる。例えば１つ以上の発光材料を蛍光体、シンチレータ、昼光グローテープ、紫外光で照明されると可視光で発光するインクなどから選択できる。
【００９７】
１つ以上の発光材料を任意の形態で設けることができる。例えば樹脂（すなわちポリマー母材）、例えばシリコーン材料、エポキシ材料、ガラス材料または酸化金属材料内に発光要素を埋め込むことができる。
【００９８】
１つ以上のルミファーの各々を任意のルミファーとすることができ、上記のように広範な種々のルミファーは当技術で知られているものである。例えばルミファー（またはその各々）は１つ以上の蛍光体を含むことができる（または実質的に構成できる、または構成できる）。１つ以上のルミファー（またはその各々）は、所望すれば１つ以上の高度に透過性の（例えば透明または実質的に透明、または多少拡散性の）バインダーを更に含むことができ（または実質的に構成し、または構成し）、これらバインダーは例えばエポキシ、シリコーン、ガラス、酸化金属または他の任意の適当な材料（１つ以上のバインダーを含む任意の所定のルミファーでは、１つ以上のバインダー内に１つ以上の蛍光体を分散することができる）。例えば一般にルミファーが厚くなればなるほど蛍光体の重量パーセントを低くできる。しかしながら、ルミファーの全体の厚さに応じ、蛍光体の重量パーセントを一般に任意の値、例えば０.１重量％〜１００重量％とすることができる（例えばルミファーは純粋な蛍光体に高温静水圧プレス成形を加えることによって形成される）。
【００９９】
１つ以上のルミファー（またはその各々）は、独立して任意の数の周知の添加物、例えば拡散材、散乱材または網点（tints）などを含むことができる。
【０１００】
本発明の要旨による別の実施形態では、「照明デバイス」（発明者：ジェラルド・エイチ・ネグレー；代理人整理番号931 003ＰＲＯ）を発明の名称とし、２００５年１２月２２日に出願された米国特許出願第60/753,138号および２００６年１２月２１日に出願された米国特許出願第11/614,180号（これらの特許出願の全体を本明細書で参考例として援用する）に記載されているように、１つ以上のルミファーと共にパッケージ内に１つ以上の発光ダイオードチップを含めることができ、改善された光抽出効率を得るためにパッケージ内の１つ以上のルミファーをパッケージ内の１つ以上の発光ダイオードチップから離間できる。
【０１０１】
本発明の要旨による一部の実施形態では、「ルミファー膜を空間的に分離することによるＬＥＤ内でのスペクトルコンテントのシフト」（発明者：ジェラルド・エイチ・ネグレイおよびアントニー・ポール・バン・ド・ベン；代理人整理番号931 006ＰＲＯ）を発明の名称とし、２００６年４月２４日に出願された米国特許出願第60/794,379号、および２００７年１月１９日に出願された米国特許出願第11/624,811号（いずれも全体を本明細書で参考例として援用する）に記載されているように、１つ以上のルミファーを設け、これらルミファーの２つ以上を互いに離間させることができる。
【０１０２】
本発明の要旨のある実施形態では、１組の並列な固体発光体の列（すなわち互いに並列に配置された固体発光体の２つ以上の列）を電力線と直列に配置し、電力線を通して固体発光体のそれぞれの列の各々に電流を供給する。本明細書で使用するような「列」なる記載は、少なくとも２つの固体発光体が電気的に直列接続されていることを意味する。かかるある実施形態では、それぞれの列内の固体発光体の相対量は列ごとに異なる。例えば第１の列は第１のパーセントの４３０ｎｍ〜４８０ｎｍの固体発光体を含み、第２の列は第２のパーセント（第１のパーセントと異なる）の４３０ｎｍ〜４８０ｎｍの固体発光体を含む。代表的な例として、第１の列および第２の列の各々は、４３０ｎｍ〜４８０ｎｍだけ（すなわち１００％）の固体発光体を含み、第３の列は５０％の４３０ｎｍ〜４８０ｎｍの固体発光体と５０％の６００ｎｍ〜６３０ｎｍの固体発光体を含む（これら３つの列の各々は共通する電力線に電気的に接続されている）。このようにすることにより、それぞれの波長の光の相対強度を容易に調節することができ、よってＣＩＥ色度図内で効果的に操作し、および／または他の変化を補償することができ、例えば、必要であれば６００ｎｍ〜６３０ｎｍの固体発光体が発生する光の強度の低下を補償するように、赤色光の強度を高めることができる。したがって、例えば上記代表的な例では、第３の電力線に供給される電流を増加させるか、または第１電力線および／または第２電力線に供給される電流を減少させることにより（および／または第１電力線または第２電力線への給電を遮断することにより）、照明デバイスから発光される光の混合光のｘ、ｙ座標を適当に調節できる。
【０１０３】
本発明の要旨のある実施形態では、更に固体発光体の１つ以上のそれぞれの列に直接またはスイッチング可能に電気接続された１つ以上の電流調節器が設けられ、よって固体発光体の１つ以上のそれぞれの列に供給される電流を調節するように、電流調節器を調節できる。かかる実施形態では、１９３１ＣＩＥ色度図上の黒体軌跡上の少なくとも１つのポイントの１０個のマッカダム楕円内に光の混合を維持するように、電流調節器を自動調節する。
【０１０４】
本発明の要旨のある実施形態では、１つ以上のそれぞれの列に電気接続された１つ以上のスイッチが設けられ、各スイッチはそれぞれの列上の固体発光体への電流をオンオフするように選択的に切り換えられる。
【０１０５】
本発明の要旨の一実施形態では、照明デバイスからの出力で検出された変化（例えば黒体軌跡からのずれの程度）に応答し、または所望するパターンに従い（例えば日中または夜間の時刻に基づく、組み合わされた発光光の相関化された色温度の変更）に従い、１つ以上のそれぞれの列を通過する電流を、１つ以上の電流調節器および／または１つ以上のスイッチが、自動的に遮断および／または調節するようになっている。
【０１０６】
本発明の要旨のある実施形態では、更に１つ以上のサーミスタが設けられ、これらのサーミスタは温度を検出し、温度が変化した場合に１つ以上のそれぞれの列を通過する電流を、１つ以上の電流調節器および／または１つ以上のスイッチが自動的に遮断および／または調節するようにさせることにより、かかる温度変化を補償する。一般に６００ｎｍ〜６３０ｎｍの発光ダイオードは、温度が高くなった場合に減光し、かかる実施形態ではかかる温度変化によって生じた強度の変動を補償できる。
【０１０７】
本発明の要旨によるある照明デバイスでは、照明内の１つ以上の固体発光体のうちの少なくとも１つを通過する電流を供給し、かつ制御するための１つ以上の回路部品、例えばドライブ電子回路が更に設けられる。当業者であれば、固体発光体を通過する電流を供給し、かつ制御する種々の方法について精通している。かかる方法を、本発明の要旨のデバイスで使用できる。例えばかかる回路は少なくとも１つの接点、少なくとも１つのリードフレーム、少なくとも１つの電流調整器、少なくとも１つの電力制御装置、少なくとも１つの電圧制御装置、少なくとも１つのブースト、少なくとも１つのコンデンサおよび／または少なくとも１つのブリッジ整流器を含むことができ、当業者であればかかる部品に精通しており、どんな所望される電流特性も満たすような適切な回路を容易に設計することができる。例えば本発明の要旨を実施するのに使用できる回路については、次の文献に記載されている。
【０１０８】
（１）「照明デバイス」（発明者：ジェラルド・エイチ・ネグレイ、アントニー・ポール・バン・ド・ベンおよびニール・ハンター；代理人整理番号931 002ＰＲＯ）を発明の名称として、２００５年１２月２１日に出願された米国特許出願第60/752,753号、および２００６年１２月２０日に出願された米国特許出願第11/613,629号（いずれも全体を本明細書で参考例として援用する）。
【０１０９】
（２）「照明デバイス」（発明者：アントニー・ポール・バン・ド・ベン；代理人整理番号931 008ＰＲＯ）を発明の名称として、２００６年５月５日に出願された米国特許出願第60/798,446号、および２００７年５月３日に出願された米国特許出願第11/743,754号（いずれも全体を本明細書で参考例として援用する）。
【０１１０】
（３）「クーリングを行う照明デバイス」（発明者：トーマス・ジー・コールマン、ジェラルド・エイチ・ネグレイおよびアントニー・ポール・バン・ド・ベン；代理人整理番号931 007ＰＲＯ）を発明の名称として、２００６年６月１日に出願された米国特許出願第60/809,959号、および２００７年１月２４日に出願された米国特許出願第11/626,483号（いずれも全体を本明細書で参考例として援用する）。
【０１１１】
（４）「照明デバイスおよび照明方法」（発明者：ジェラルド・エイチ・ネグレイ；代理人整理番号931 018ＰＲＯ）を発明の名称として、２００６年５月３１日に出願された米国特許出願第60/809,595号、および２００７年５月３０日に出願された米国特許出願第11/755,162号（いずれも全体を本明細書で参考例として援用する）。
【０１１２】
（５）「低圧側ＭＯＳＦＥＴの電流制御を行うブースト／プライバック電源トポロジー」（発明者：ピーター・ジェイ・マイヤー；代理人整理番号931 020ＰＲＯ）を発明の名称として、２００６年９月１３日に出願された米国特許出願第60/844,325号、および２００７年９月１３日に出願された米国特許出願第11/854,744号（いずれも全体を本明細書で参考例として援用する）。
【０１１３】
更に、当業者であれば、異なる多くのタイプの照明用の広範な種々の取り付け構造体について精通しており、本発明の要旨に従い、かかる任意の構造体を使用できる。
【０１１４】
例えば本発明の要旨を実施するのに使用できる固定具、他の取り付け構造体および完全な照明アセンブリは次の文献に記載されている。
【０１１５】
（１）「照明デバイス」（発明者：ジェラルド・エイチ・ネグレイ、アントニー・ポール・バン・ド・ベンおよびニール・ハンター；代理人整理番号931 002ＰＲＯ）を発明の名称として、２００５年１２月２１日に出願された米国特許出願第60/752,753号、および２００６年１２月２０日に出願された米国特許出願第11/613,629号（いずれも全体を本明細書で参考例として援用する）。
【０１１６】
（２）「照明デバイス」（発明者：アントニー・ポール・バン・ド・ベン；代理人整理番号931 008ＰＲＯ）を発明の名称として、２００６年５月５日に出願された米国特許出願第60/798,446号、および２００７年５月３日に出願された米国特許出願第11/743,754号（いずれも全体を本明細書で参考例として援用する）。
【０１１７】
（３）「照明デバイス、照明アセンブリ、照明具およびそれを使用する方法」（発明者：アントニー・ポール・バン・ド・ベン；代理人整理番号931 019ＰＲＯ）を発明の名称として、２００６年９月１８日に出願された米国特許出願第60/845,429号、および２００７年９月１７日に出願された米国特許出願第11/856,421号（いずれも全体を本明細書で参考例として援用する）。
【０１１８】
（４）「照明アセンブリ、それを設置する方法およびライトを交換する方法」（発明者：アントニー・ポール・バン・ド・ベンおよびジェラルド・エイチ・ネグレー；代理人整理番号931 021ＰＲＯ）を発明の名称として、２００６年９月２１日に出願された米国特許出願第60/846,222号、および２００７年９月２１日に出願された米国特許出願第11/859,048号（いずれも全体を本明細書で参考例として援用する）。
【０１１９】
（５）「照明デバイスおよび照明方法」（発明者：ジェラルド・エイチ・ネグレー、アントニー・ポール・バン・ド・ベンおよびトーマス・ジー・コールマン；代理人整理番号931 017ＰＲＯ）を発明の名称として、２００６年５月３１日に出願された米国特許出願第60/809,618号、および２００７年５月３０日に出願された米国特許出願第11/755,153号（いずれも全体を本明細書で参考例として援用する）。
【０１２０】
（６）「光エンジンアセンブリ」（発明者：ポール・ケネス・ピッカードおよびゲーリー・デビッド・プロット、代理人整理番号931 036ＰＲＯ）を発明の名称として、２００６年１１月１４日に出願された米国特許出願第60/858,881号、および２００７年１１月１３日に出願された米国特許出願第11/939,052号（いずれも全体を本明細書で参考例として援用する）。
【０１２１】
（７）「照明アセンブリおよび照明アセンブリのための部品」（発明者：ゲーリー・デビッド・プロットおよびポール・ケネス・ピッカード、代理人整理番号931 037ＰＲＯ）を発明の名称として、２００６年１１月１４日に出願された米国特許出願第60/859,013号、および２００７年４月１８日に出願された米国特許出願第11/736,799号（いずれも全体を本明細書で参考例として援用する）。
【０１２２】
（８）「照明デバイスおよび光エンジンハウジング、および／または照明デバイスのハウジング内にトリム要素を設置する方法」（発明者：ゲーリー・デビッド・プロットおよびポール・ケネス・ピッカード、代理人整理番号931 038ＰＲＯ）を発明の名称として、２００６年１０月２３日に出願された米国特許出願第60/853,589号、および２００７年１０月２３日に出願された米国特許出願第11/877,038号（いずれも全体を本明細書で参考例として援用する）。
【０１２３】
（９）「アクセサリーアタッチメントを有するＬＥＤダウンライト」（発明者：ゲーリー・デビッド・プロット、ポール・ケネス・ピッカードおよびエド・アダムズ、代理人整理番号931 044ＰＲＯ）を発明の名称として、２００６年１０月３０日に出願された米国特許出願第60/861,901号（全体を本明細書で参考例として援用する）。
【０１２４】
（１０）「ライト固定具、照明デバイスおよびそれらのための部品」（発明者：ポール・ケネス・ピッカード、ゲーリー・デビッド・プロットおよびエド・アダムズ、代理人整理番号931 055ＰＲＯ）を発明の名称として、２００７年５月７日に出願された米国特許出願第60/916,384号（全体を本明細書で参考例として援用する）。
【０１２５】
本発明の要旨に係わる一部の照明デバイスでは、１つ以上の電源、例えば１つ以上のバッテリーおよび／またはソーラー電池および／または１つ以上の標準ＡＣ電源プラグが更に設けられる。
【０１２６】
本発明の要旨に係わる照明デバイスは、任意の数の固体発光体およびルミファーを含むことができる。例えば本発明の要旨による照明デバイスは、５０個またはそれ以上の固体発光体、または１００個またはそれ以上の固体発光体などを含むことができる。
【０１２７】
本発明の要旨の照明デバイス内の可視光源は、所望の態様で配置し、取り付け、給電することができ、任意の所望するハウジングまたは固定具に取り付けできる。当業者であれば、広範な種々の配置、取り付け方法、電源装置、ハウジングおよび固定具に精通しており、本発明の要旨に関連してかかる任意の配置、方法、装置、ハウジングおよび固定具を使用できる。本発明の要旨の照明デバイスは、所望する任意の電源に電気的に接続（または選択的に接続）することができ、当業者であればかかる種々の電源について精通している。
【０１２８】
固体発光体およびルミファーは所望する任意のパターンに配置できる。本発明の要旨によるある実施形態では、６００ｎｍ〜６３０ｎｍの固体発光体の一部またはすべてを、５つまたは６つの４３０ｎｍ〜４８０ｎｍの固体発光体（これら発光体の一部またはすべては５５０ｎｍ〜５８５ｎｍのルミファーを含んでもよいし、含まなくてもよい）で囲む。例えば６００ｎｍ〜６３０ｎｍの固体発光体と、４３０ｎｍ〜４８０ｎｍの固体発光体を、一般に横方向に配置された行として配置し、互いにほぼ均一に離間する。各行は隣接する（長手方向の）行から横方向に隣接する固体発光体の間の距離の半分だけ横方向にずれており、ほとんどの位置において２つの４３０ｎｍ〜４８０ｎｍの固体発光体は、同じ行内の各６００ｎｍ〜６３０ｎｍの固体発光体とその最も近くの隣接する発光体との間に位置し、各行内の６００ｎｍ〜６３０ｎｍの固体発光体は横方向に離間し、隣接する固体発光体の間の距離の１.５倍だけ、次に隣接する（長手方向の）行内の最も近い６００ｎｍ〜６３０ｎｍの固体発光体から離間する。上記とは異なり、または上記に加え、本発明の要旨によるある実施形態では、より明るい固体発光体の一部またはすべては、より暗い固体発光体よりも照明デバイスの中心のより近くに配置される。
【０１２９】
本発明の要旨によるデバイスは、１つ以上の長寿命の冷却デバイス（例えば極端に長い寿命のファン）を更に含むことができる。かかる長寿命の冷却デバイスは、「チャイニーズファン」のように動くピエゾ電気または磁気抵抗材料（例えばＭＲ、ＧＭＲおよび／またはＨＭＲ材料）を含むことができる。本発明の要旨によるデバイスを冷却する際には、一般に１０〜１５℃の温度低下を誘導するには、境界層を破壊するのに充分な空気だけでよい。したがって、かかるケースでは強力な「ブリーズ」、または大きい流体流量（大きいＣＦＭ）は一般に不要である（よって従来のファンは不要となる）。
【０１３０】
本発明の要旨によるデバイスは、発光される光の投影される性質を更に変えるために二次光学系を含むことができる。かかる二次光学系は、当業者に周知のものであるので、本明細書では更に説明する必要はないであろう。所望すれば、かかる任意の二次的光学系を使用できる。
【０１３１】
本発明の要旨に係わるデバイスは、センサまたは充電デバイスまたはカメラを更に含むことができる。例えば当業者であれば、１つ以上の事象の発生を検出するデバイス（例えば物体または人の動きを検出する動き検出器）に精通しており、容易に入手できる。かかるデバイスは、かかる検出に応答してライトの点灯、セキュリティカメラの起動などをトリガーする。代表的な例として、本発明の要旨によるデバイスは、本発明の要旨による照明デバイスおよび動きセンサを含むことができ、（１）ライトが点灯中に動きセンサが動きを検出した場合、防犯カメラを起動し、検出された動き位置またはそのまわりにおける視覚的データを記憶するか、または（２）動きセンサが動きを検出した場合にライトを点灯し、検出された動きの位置の近くの領域を照明し、防犯カメラを起動し、検出された動きの場所における、またはその周りの視覚的データなどを記憶するように構成できる。
【０１３２】
本発明の要旨の理想化された実施形態の略図である横断面図（および／または平面図）を参照し、本発明の要旨による実施形態について説明する。このように、例えば製造技術および／または許容誤差の結果として、図の形状からの変形例を予想すべきである。したがって、本発明の要旨の実施形態は本明細書に示した領域の特定の形状だけに限定されると見なすべきではなく、例えば製造の結果として生じる形状のばらつきを含むものである。例えば四角形として示されるか記述された成形された領域は、一般に丸いかまたは曲線の特徴部を有する。したがって、図に示された領域は当然略図であり、それらの形状はデバイスの領域の正確な形状を示すものでなく、かつ本発明の要旨の範囲を限定するものではない。
【０１３３】
図４は、本発明の要旨に係わる照明デバイスの第１実施形態を示す。
【０１３４】
図４を参照すると、ここには照明デバイス１０が示されており、この照明デバイスは（アルミから形成された）熱拡散要素１１と、（熱伝達性でありかつ導電性でない、広範な種々の材料が当業者には周知である所望する任意の材料、例えばセラミックス、オプションとしてシリコンカーバイドが充填されたエポキシまたはシリコーン、ダイヤモンド、立方晶窒化ホウ素、アルミナなどを含む）絶縁領域１２と、（アルミ製熱拡散要素の表面を研磨することによって現場で形成されるか、または（日本の会社、古河から市販されている）ＭＣＰＥＴ（登録商標）から製造された）高反射性表面１３と、銅から形成された導電性配線１４と、銀メッキされた銅（または銀メッキされた軟鉄）から形成されたリードフレーム１５と、（以下により詳細に説明する）パッケージされたＬＥＤ１６ａ、１６ｂと、拡散光散乱表面を有する（ＭＣＰＥＴ（登録商標）製の）反射性コーン１７と、拡散要素１８（この拡散要素１８は光散乱機能を果たす）とを含む。
【０１３５】
熱拡散要素１１の厚さは約３.０ｍｍである。
【０１３６】
反射性コーン１７は約１ｍｍの厚さである。
【０１３７】
拡散要素１８は、約３.０ｍｍの厚さであり、表面特徴部を有するガラスまたはプラスチック製である。
【０１３８】
図４に示されたデバイスは、導電性配線１４を有するプリント回路基板（ＰＣＢ）２８を更に含み、このＰＣＢは約１.６ｍｍの厚さでありＦＲ４である。
【０１３９】
図４に示されたデバイス内の回路の一部の電気略図である図８を参照する。照明デバイスはＬＥＤの第１列４１と、ＬＥＤの第２列４２と、ＬＥＤの第３列４３とを含み、これら列は互いに並列に配置されており、共通する電力線４４に電気的に接続されている。
【０１４０】
ＬＥＤ発光体の第１列４１には、電流調整器４５と、４７個の赤色ＬＥＤ１６ａ（図６にはより詳細に示されており、図８には２つしか示されていない）と、２１個の緑色がかり黄色がかった発光体１６ｂ（各発光体は青色ＬＥＤおよび広いスペクトル発光ルミファーを含む）（図７にはより詳細に示されており、図８には２つしか示されていない）が接続されている。
【０１４１】
ＬＥＤ発光体の第２ストリング４２には電流調整器４６と、ゼロ個の赤色ＬＥＤと、５１個の緑色がかり黄色がかった発光体１６ｂ（図８には２つしか示されていない）とが接続されている。
【０１４２】
ＬＥＤ発光体の第３ストリング４３には、電流調整器４７と、ゼロ個の赤色ＬＥＤと、５１個の緑色がかり黄色がかった発光体１６ｂ（図８には２つしか示されていない）とが接続されている。
赤色ＬＥＤ１６ａの各々の両端における電圧降下は約２ボルトである。
【０１４３】
（緑色味−黄色味発光体１６ｂ内の）青色ＬＥＤの各々の両端の電圧降下は約４ボルトである。
【０１４４】
電流調整器の各々の両端の電圧降下は約７ボルトである。
【０１４５】
ＬＥＤ発光体の第１列４１を通過する電流は約２０ミリアンペアに調整されている。
【０１４６】
ＬＥＤ発光体の第２列４２を通過する電流は約２０ミリアンペアに調整されている。
【０１４７】
ＬＥＤ発光体の第３列４３を通過する電流は約２０ミリアンペアに調整されている。
【０１４８】
拡散要素１８は熱拡散要素１１から約５．０８ｃｍ（約２インチ）の位置にある。この拡散要素１８は反射性コーン１７の頂部領域に取り付けられており、反射性コーン１７の底部領域には絶縁要素２８も取り付けられている。
【０１４９】
熱拡散要素１１は熱を拡散するように働き、かつヒートシンクとしても働き、ＬＥＤから熱を散逸させる。同様に、反射性コーン１７もヒートシンクとして機能する。
【０１５０】
図５は、図４に示されたＶ−Ｖ平面に沿った断面図であるが、図４と同じ縮尺では描かれていない。
【０１５１】
図５に示されるように、赤色ＬＥＤ１６ａの各々は５つまたは６つの緑味−黄色味発光体１６ｂによって囲まれている。すなわち赤色ＬＥＤ１６ａと緑色味−黄色味発光体１６ｂは、全体に横方向に配置された行に配置されており、互いにほぼ均一に離間しており、各行は横方向に隣接するＬＥＤの間の距離の半分だけ、次に隣接する（長手方向の）行から横方向にずれ、ほとんどの位置において、同じ行内の各赤色ＬＥＤ１６ａと、それに最も近い赤色ＬＥＤ１６ａとの間に２つの緑色味−黄色味発光体１６ｂが位置し、各行内の赤色ＬＥＤ１６ａは横方向に離間する隣接したＬＥＤの間の距離の１.５倍だけ、次に隣接する（長手方向の）行内の最も近い赤色ＬＥＤ１６ａからずれている。各行内の隣接する各ＬＥＤの間のスペースは約６ｍｍである。
【０１５２】
図６は、図４および５に示された実施形態で使用される赤色ＬＥＤ１６ａのうちの１つの横断面図である。
【０１５３】
図６を参照すると、赤色ＬＥＤ１６ａの各々は、（台湾のエピスター社からの、約３．６ｍｍ×３．６ｍｍ（１４ミル×１４ミル）の大きさのＡｌＩｎＧａＰから成り、６００ｍｃｄ以上の明るさを有する）赤色発光ダイオードチップと、反射性表面２２を有するリードフレーム１５と、銅製ワイヤー２３と、封入領域２４とを含む。反射性表面２２は銀から製造されている。封入領域２４は、Hysol OS 4000から作られている。赤色ＬＥＤ１６ａはほぼ飽和状態にある。すなわちこれらＬＥＤは少なくとも８５％の純度を有する。「純度」なる用語は当業者に周知の意味を有し、この純度を計算する方法は当業者に周知である。赤色ＬＥＤ１６ａは約６１２ｎｍ〜６２５ｎｍまでの領域内に主要な波長を有する光を発光する。
【０１５４】
図７は、図４および５に示された実施形態で使用される緑色がかり黄色がかった発光体１６ｂのうちの１つの横断面図である。
【０１５５】
緑色がかり黄色がかった発光体１６ｂの各々は、青色発光ダイオードチップ３１（例えば約４５０ｎｍ〜４６５ｎｍまでの波長レンジおよび２４ｍＷより大きい光パワーを有するCree XT LED (C460XT290)ダイ）と、反射性表面３２を有するリードフレーム１５と、銅製ワイヤー３３と、封入領域３４と、広いスペクトルを発光するルミファー３５とを含む。反射性表面３２は銀製であり、封入領域３４はHysol OS 400またはGE/Toshiba Invisil 5332製である。ルミファー３５は、QMK58/F-U1 YAG：すなわちHysol OS 400またはGE/Toshiba Invisil 5332製のバインダー内に分散されたPhosphor Teck-UKによるQMK58/F-U1：Ceから成る発光材料を含む。この発光材料はバインダーと発光材料の総重量に基づき、約１０〜１２重量％の範囲内の量だけバインダー内に装入される。発光材料の粒子は約１.６μｍ〜約８.６μｍの範囲内の粒径を有し、この場合、平均粒径は約４μｍ〜５μｍの範囲内にある。ルミファー３５は、約１００μｍ〜７５０μｍ（例えば約５０μｍ〜約７５０μｍ、例えば約７５０μｍ）の範囲内の距離だけ、チップ３１から離間している。青色チップ３１は、約４５０ｎｍ〜４６５ｎｍの領域内にピーク波長を有する光を発光する。
【０１５６】
ＬＥＤ１６ｂから射出された組み合わされた光（すなわち（１）青色チップ３１によって発生され、ルミファーを通過し、ＬＥＤ１６ｂから射出された光と、（２）青色チップ３１から発光され、ＬＥＤ１６ｂに入射する光によって励起され、ルミネッセンス材料によって発光される光の混合光）は、１９３１色度図上の第１領域、すなわち第１線分、第２線分、第３線分、第４線分および第５線分によって囲まれた領域内にあるｘ、ｙ色座標を有する１９３１ＣＩＥ色度図上のポイントに対応し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８であり、特定の例では２８５０Ｋの光に対してｘ、ｙカラー座標が０.３７０６、０.４３７０であり、３４００Ｋの光に対して０.３５５０、０.４０８９である。
【０１５７】
照明デバイス１０から射出され、組み合わされた光、すなわち（１）固体発光体１６ｂの第１グループによって発光され、照明デバイス１０から射出された光と、（２）ルミファー３５の第１グループによって発光され、照明デバイス１０から射出された光と、（３）固体発光体１６ａの第２グループによって発光され、照明デバイス１０から射出された光との組み合わせは、１９３１ＣＩＥ色度図上の黒体軌跡上の少なくとも１つのポイントの１０のマッカダム楕円内にある１９３１ＣＩＥ色度図上のポイントに対応する。
【０１５８】
屋内の居住用照明に対しては、２７００Ｋ〜３３００Ｋの色温度が通常好ましく、カラフルな背景の屋外用投光照明に対しては、昼光の５０００Ｋ（４５００〜６５００Ｋ）に近い色温度が好ましい。
【０１５９】
図９は、１９３１ＣＩＥ色度図上の第１領域５０を示す。すなわち第１線分、第２線分、第３線分、第４線分および第５線分によって囲まれた領域５０を示し、第１線分は第１ポイントと第２ポイントとを接続し、第２線分は第２ポイントと第３ポイントとを接続し、第３線分は第３ポイントと第４ポイントとを接続し、第４線分は第４ポイントと第５ポイントとを接続し、第５線分は第５ポイントと第１ポイントとを接続し、第１ポイントのｘ、ｙ座標は０.３２、０.４０であり、第２ポイントのｘ、ｙ座標は０.３６、０.４８であり、第３ポイントのｘ、ｙ座標は０.４３、０.４５であり、第４ポイントのｘ、ｙ座標は０.４２、０.４２であり、第５ポイントのｘ、ｙ座標は０.３６、０.３８である。
【０１６０】
本明細書に説明した照明デバイスの任意の２つ以上の構造部品を一体化することができる。本明細書に説明した照明デバイスの任意の構造部品を、２つ以上の部品（これら部品は必要であればまとめることができる）内に設けることができる。
【０１６１】
更に、要素の特定の組み合わせを参照し、本発明の要旨の所定の実施形態について図示したが、本発明の要素から逸脱することなく、他の種々の組み合わせを設けることもできる。したがって、本発明の要旨は、本明細書に説明し、図に示した特定の実施形態だけに限定されると見なすべきではなく、本発明の要旨は、図示した種々の実施形態の要素の組み合わせも含むことができる。
【０１６２】
本発明の要旨から逸脱することなく、本発明の開示の利点を前提とする限り、当業者には多くの変形および変更を行うことができる。したがって、図示した実施形態は単に例として記載したにすぎず、特許請求の範囲によって定められる発明の要旨を限定すると見なすべきではないと理解すべきである。したがって、特許請求の範囲は字句どおり記載した要素の組み合わせを含むだけでなく、実質的に同じ結果を得るために、実質的に同一な方法で、実質的に同じ機能を果たすすべての均等要素も含むと解釈すべきである。したがってこれら特許請求の範囲は、具体的に図示し上に記載したもの、概念的に均等であるもの、更に本発明の要旨の本質的な概念を含むもの、を含むと理解すべきである。
【図１】
2010511978.tif 000005
【図２】
2010511978.tif 000006
【図３】
2010511978.tif 000007
【図４】
2010511978.tif 000008
【図５】
2010511978.tif 000009
【図６】
2010511978.tif 000010
【図７】
2010511978.tif 000011
【図８】
2010511978.tif 000012
【図９】
2010511978.tif 000013
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
少なくとも１つの固体発光体を含む、第１グループの固体発光体と、
少なくとも１つの第１発光材料と、
少なくとも１つの発光デバイスとを備えた発光デバイスであり、
前記第１グループの固体発光体を点灯し、前記少なくとも第１発光材料を励起すると、前記第１グループの固体発光体により発光され、前記照明デバイスから射出された光と、前記少なくとも第１発光材料によって発光され、前記照明デバイスから射出された光の混合光は、別の光がない場合に、第１線分、第２線分、第３線分、第４線分および第５線分によって囲まれた１９３１ＣＥＩ色度図上の領域内にあるポイントを定めるｘ、ｙ色座標を有するサブ混合光を発生し、前記第１線分は第１ポイントと第２ポイントとを接続し、前記第２線分は前記第２ポイントと第３ポイントとを接続し、前記第３線分は前記第３ポイントと第４ポイントとを接続し、前記第４線分は前記第４ポイントと第５ポイントとを接続し、前記第５線分は前記第５ポイントと前記第１ポイントとを接続し、前記第１ポイントのｘ、ｙ座標は０.３２、０.４０であり、前記第２ポイントのｘ、ｙ座標は０.３６、０.４８であり、前記第３ポイントのｘ、ｙ座標は０.４３、０.４５であり、前記第４ポイントのｘ、ｙ座標は０.４２、０.４２であり、第５ポイントのｘ、ｙ座標は０.３６、０.３８であり、
前記第１グループの固体発光体を点灯し、前記少なくとも１つの発光デバイスを点灯し、前記少なくとも第１発光材料を励起すると、前記第１グループの固体発光体によって発光され、前記照明デバイスから射出された光と、前記少なくとも１つの発光デバイスによって発光され、前記照明デバイスから射出された光と、前記少なくとも第１発光材料により発光され、前記照明デバイスから射出された光の混合光は、別の光がない場合に、１９３１ＣＩＥ色度図上の黒体軌跡上の少なくとも１つのポイントの１０のマッカダム楕円内にあるポイントを定める、１９３１ＣＩＥ色度図上にｘ、ｙ材料を有する混合光を発生する、照明デバイス。
【請求項２】
請求項１に記載の照明デバイスであって、
前記第１グループの固体発光体は、複数の発光ダイオードを含み、
前記少なくとも１つの発光デバイスは、複数の発光ダイオードを含む、照明デバイス。
【請求項３】
請求項１または２に記載の照明デバイスであって、
前記第１グループの固体発光体を点灯し、前記少なくとも第１発光材料を励起すると、前記第１グループの固体発光体により発光され、前記照明デバイスから射出された光と、前記少なくとも第１発光材料によって発光され、前記照明デバイスから射出された光の混合光は、別の光がない場合に、第１線分、第２線分、第３線分、および第４線分によって囲まれた１９３１ＣＥＩ色度図上の領域内にあるポイントを定めるｘ、ｙ色座標を有するサブ混合光を発生し、前記第１線分は第１ポイントと第２ポイントとを接続し、前記第２線分は前記第２ポイントと第３ポイントとを接続し、前記第３線分は前記第３ポイントと第４ポイントとを接続し、前記第４線分は前記第４ポイントと前記第１ポイントとを接続し、前記第１ポイントのｘ、ｙ座標は０.３２、０.４０であり、前記第２ポイントのｘ、ｙ座標は０.３６、０.４８であり、前記第３ポイントのｘ、ｙ座標は０.４１、０.４５５であり、前記第４ポイントのｘ、ｙ座標は０.３６、０.３８である、照明デバイス。
【請求項４】
請求項１〜３のうちのいずれか１項に記載の照明デバイスであって、
前記第１グループの前記固体発光体のうちの固体発光体のうちの少なくとも１つは、封入要素内に埋め込まれており、前記封入要素内には前記第１グループの発光材料のうちの少なくとも一部も埋め込まれている、照明デバイス。
【請求項５】
請求項１〜４のうちのいずれか１項に記載の照明デバイスであって、
前記第１発光材料の少なくとも一部は、第１ルミファー内に位置している、照明デバイス。
【請求項６】
請求項１〜５のうちのいずれか１項に記載の照明デバイスであって、
前記第１グループの固体発光体によって発光され、前記照明デバイスから射出された光と、前記少なくとも１つの発光デバイスによって発光され、前記照明デバイスから射出された光と、前記少なくとも第１発光材料により発光され、前記照明デバイスから射出された光の混合光は、少なくとも８０のＣＲＩ  Ｒａを有する、照明デバイス。
【請求項７】
請求項１〜６のいずれか１項に記載の照明デバイスであって、
前記照明デバイスは、ワット当たり少なくとも２５ルーメンの有効性を有する、照明デバイス。
【請求項８】
請求項１〜７のうちのいずれか１項に記載の照明デバイスであって、
前記少なくとも１つの照明デバイスは、第２グループの固体発光体を備え、
前記照明デバイスは、少なくとも１つの第１組の並列なＬＥＤ列を備え、前記第１組の並列なＬＥＤは、少なくとも１つの第１ＬＥＤ列と、第２ＬＥＤ列とを備え、前記第１組の並列なＬＥＤ列は、少なくとも１つの第１電力線に対して直列に配置されており、
第１の比は、第２の比と異なり、
前記第１の比は、前記第１ＬＥＤ列内にある前記第２グループの固体発光体からのＬＥＤの数（１）を、前記第２ＬＥＤ列内にある前記第１グループの固体発光体からのＬＥＤの数（２）で割った値に等しく、
前記第２の比は、前記第２ＬＥＤ列内にある前記第２グループの固体発光体からのＬＥＤの数（３）を、前記第２ＬＥＤ列内にある前記第１グループの固体発光体からのＬＥＤの数（４）で割った値に等しい、照明デバイス。
【請求項９】
請求項８に記載の照明デバイスであって、
前記第１および第２ＬＥＤ列のうちの１つに直接またはスイッチング可能に電気接続された少なくとも１つの電流調節器を更に備え、前記電流調節器は、調節された場合に、前記第１および第２ＬＥＤ列のうちの前記一方へ供給される電流を調節する、照明デバイス。
【請求項１０】
請求項９に記載の照明デバイスであって、
前記第１グループの固体発光体によって発光され、前記照明デバイスから射出された光（１）と、前記少なくとも１つの発光デバイスによって発光され、前記照明デバイスから射出された光（２）と、前記少なくとも第１発光材料により発光され、前記照明デバイスから射出された光（３）の混合光を１９３１ＣＩＥ色度図上の黒体軌跡上の少なくとも１つのポイントの１０のマッカダム楕円内に維持するよう前記電流調節器を自動的に調節する、照明デバイス。
【請求項１１】
請求項１〜１０のうちのいずれか１項記載の照明デバイスであって、
前記第１グループの固体発光体内の前記固体発光体のすべてを点灯した場合に、前記第１発光材料のうちの少なくとも一部が前記第１グループの固体発光体から発光された光により励起される、照明デバイス。
【請求項１２】
少なくとも１つの第１固体発光体を含む、第１グループの固体発光体と、
少なくとも１つの第１発光材料と、
少なくとも１つの発光デバイスとを備えた照明デバイスであり、
前記第１グループの固体発光体を点灯すると、前記第１グループの固体発光体により発光され、前記照明デバイスから射出された光と、前記少なくとも第１発光材料によって発光され、前記照明デバイスから射出された光の混合光は、別の光がない場合に、第１線分、第２線分、第３線分、第４線分および第５線分によって囲まれた１９３１ＣＥＩ色度図上の領域内にあるポイントを定めるｘ、ｙ色座標を有するサブ混合光を発生し、前記第１線分は第１ポイントと第２ポイントとを接続し、前記第２線分は前記第２ポイントと第３ポイントとを接続し、前記第３線分は前記第３ポイントと第４ポイントとを接続し、前記第４線分は前記第４ポイントと第５ポイントとを接続し、前記第５線分は前記第５ポイントと前記第１ポイントとを接続し、前記第１ポイントのｘ、ｙ座標は０.３２、０.４０であり、前記第２ポイントのｘ、ｙ座標は０.３６、０.４８であり、前記第３ポイントのｘ、ｙ座標は０.４３、０.４５であり、前記第４ポイントのｘ、ｙ座標は０.４２、０.４２であり、第５ポイントのｘ、ｙ座標は０.３６、０.３８であり、
前記第１グループの固体発光体を点灯し、前記少なくとも１つの発光デバイスを点灯すると、前記第１グループの固体発光体によって発光され、前記照明デバイスから射出された光と、前記少なくとも１つの発光デバイスによって発光され、前記照明デバイスから射出された光と、前記少なくとも第１発光材料により発光され、前記照明デバイスから射出された光の混合光は、別の光がない場合に、１９３１ＣＩＥ色度図上の黒体軌跡上の少なくとも１つのポイントの１０のマッカダム楕円内にあるポイントを定める、１９３１ＣＩＥ色度図上にｘ、ｙ材料を有する混合光を発生する、照明デバイス。
【請求項１３】
請求項１２に記載の照明デバイスであって、
前記第１グループの固体発光体は、複数の発光ダイオードを備え、
前記少なくとも１つの発光デバイスは、複数の発光ダイオードを備える、照明デバイス。
【請求項１４】
請求項１２または１３に記載の照明デバイスであって、
前記第１グループの固体発光体の内の固体発光体のすべてを点灯した場合に、前記発光材料のうちの少なくとも一部は前記第１グループの固体発光体から発光された光により励起される、照明デバイス。
【請求項１５】
少なくとも１つの固体発光体を含む、第１グループの固体発光体を点灯させるステップと、
なくとも１つの発光デバイスを点灯させるステップと、
少なくとも１つの第１発光材料を励起させるステップとを備え、
前記第１グループの固体発光体により発光され、前記照明デバイスから射出された光と、前記少なくとも第１発光材料によって発光され、前記照明デバイスから射出された光の混合光は、別の光がない場合に、第１線分、第２線分、第３線分、第４線分および第５線分によって囲まれた１９３１ＣＥＩ色度図上の領域内にあるポイントを定めるｘ、ｙカラー座標を有するサブ混合光を発生し、前記第１線分は第１ポイントと第２ポイントとを接続し、前記第２線分は前記第２ポイントと第３ポイントとを接続し、前記第３線分は前記第３ポイントと第４ポイントとを接続し、前記第４線分は前記第４ポイントと第５ポイントとを接続し、前記第５線分は前記第５ポイントと前記第１ポイントとを接続し、前記第１ポイントのｘ、ｙ座標は０.３２、０.４０であり、前記第２ポイントのｘ、ｙ座標は０.３６、０.４８であり、前記第３ポイントのｘ、ｙ座標は０.４３、０.４５であり、前記第４ポイントのｘ、ｙ座標は０.４２、０.４２であり、第５ポイントのｘ、ｙ座標は０.３６、０.３８であり、
前記第１グループの固体発光体によって発光され、前記照明デバイスから射出された光と、前記少なくとも１つの発光デバイスによって発光され、前記照明デバイスから射出された光と、前記少なくとも第１発光材料により発光され、前記照明デバイスから射出された光の混合光は、別の光がない場合に、１９３１ＣＩＥ色度図上の黒体軌跡上の少なくとも１つのポイントの１０のマッカダム楕円内にあるポイントを定める、１９３１ＣＩＥ色度図上にｘ、ｙ材料を有する混合光を発生する、照明方法。
【国際調査報告】
2010511978.tif 000014
2010511978.tif 000015
2010511978.tif 000016